(57)【特許請求の範囲】
【請求項１】
無線通信システムにおいて、ｍｕｌｔｉ−ｈｏｍｉｎｇ基盤のＰＳＡ(Ｐｒｏｔｏｃｏｌ ｄａｔａ ｕｎｉｔ Ｓｅｓｓｉｏｎ Ａｎｃｈｏｒ)追加に関連する信号をＵＥ(Ｕｓｅｒ Ｅｑｕｉｐｍｅｎｔ)が受信する方法であって、
前記ＵＥが、第１ＰＳＡとＰＤＵ(Ｐｒｏｔｏｃｏｌ Ｄａｔａ Ｕｎｉｔ)セッションを確立する段階と、
前記ＵＥが、ＳＭＦ(Ｓｅｓｓｉｏｎ Ｍａｎａｇｅｍｅｎｔ Ｆｕｎｃｔｉｏｎ)から新しいＩＰアドレスを受信する段階を含み、
前記受信した新しいＩＰアドレスがｍｕｌｔｉ−ｈｏｍｉｎｇ基盤のＰＳＡ追加に関連することに基づいて、前記新しいＩＰアドレスを使用するＩＭＳ（ＩＰ  ｍｕｌｔｉｍｅｄｉａ  ｓｕｂｓｙｓｔｅｍ）登録が省かれる、方法。
【請求項２】
前記受信した新しいＩＰアドレスがｍｕｌｔｉ−ｈｏｍｉｎｇ基盤のＰＳＡ追加に関連することに基づいて、前記新しいＩＰアドレスは追加された第２ＰＳＡへのＩＭＳメディアルーティングに使用される、請求項１に記載の方法。
【請求項３】
前記受信した新しいＩＰアドレスがｍｌｔｉ−ｈｏｍｉｎｇ基盤のＰＳＡ追加に関連することに基づいて、前記ＵＥのＮＡＳレイヤは、上位レイヤに、前記新しいＩＰアドレスはＩＭＳメディアルーティングのためのものであることを指示する情報を提供する、請求項１に記載の方法。
【請求項４】
前記受信した新しいＩＰアドレスがｍｕｌｔｉ−ｈｏｍｉｎｇ基盤のＰＳＡ追加に関連することに基づいて、前記ＵＥのＮＡＳレイヤは、上位レイヤに、前記新しいＩＰアドレスはＩＭＳメディアのみのためのものであることを指示する情報を提供する、請求項１に記載の方法。
【請求項５】
前記新しいＩＰアドレスは新しいＩＰｖ６ ｐｒｅｆｉｘである、請求項１に記載の方法。
【請求項６】
前記上位レイヤはＩＭＳレイヤである、請求項３又は４に記載の方法。
【請求項７】
前記第２ＰＳＡはｌｏｃａｌｉｚｅｄ ＵＰＦ(Ｕｓｅｒ Ｐｌａｎｅ Ｆｕｎｃｔｉｏｎ)である、請求項２に記載の方法。
【請求項８】
前記第１ＰＳＡはＵＰＦである、請求項１に記載の方法。
【請求項９】
ＳＭＦから受信された情報又はＵＥに設定された情報に基づいて、前記ＵＥが前記新しいＩＰアドレスを使用したＩＭＳ登録を省く、請求項１に記載の方法。
【請求項１０】
無線通信システムにおいて、ｍｕｌｔｉ−ｈｏｍｉｎｇ基盤のＰＳＡ(Ｐｒｏｔｏｃｏｌ ｄａｔａ ｕｎｉｔ Ｓｅｓｓｉｏｎ Ａｎｃｈｏｒ)追加に関連する信号を送受信するＵＥ(Ｕｓｅｒ Ｅｑｕｉｐｍｅｎｔ)装置であって、
送受信装置と、
プロセッサを含み、
前記プロセッサは、第１ＰＳＡ(ｐｒｏｔｏｃｏｌ ｄａｔａ ｕｎｉｔ ｓｅｓｓｉｏｎ ａｎｃｈｏｒ)とＰＤＵ(ｐｒｏｔｏｃｏｌ ｄａｔａ ｕｎｉｔ)セッションを確立し、ＳＭＦ(Ｓｅｓｓｉｏｎ Ｍａｎａｇｅｍｅｎｔ Ｆｕｎｃｔｉｏｎ)から新しいＩＰアドレスを受信するように構成され、
前記受信した新しいＩＰアドレスがｍｕｌｔｉ−ｈｏｍｉｎｇ基盤のＰＳＡ追加に関連することに基づいて、前記新しいＩＰアドレスを使用したＩＭＳ（ＩＰ  ｍｕｌｔｉｍｅｄｉａ  ｓｕｂｓｙｓｔｅｍ）登録は省かれる、ＵＥ装置。
【請求項１１】
前記受信した新しいＩＰアドレスがｍｕｌｔｉ−ｈｏｍｉｎｇ基盤のＰＳＡ追加に関連することに基づいて、前記新しいＩＰアドレスは追加された第２ＰＳＡへのＩＭＳメディアルーティングに使用される、請求項１０に記載のＵＥ装置。
【請求項１２】
前記受信した新しいＩＰアドレスがｍｌｔｉ−ｈｏｍｉｎｇ基盤のＰＳＡ追加に関連することに基づいて、前記ＵＥのＮＡＳレイヤは、上位レイヤに、前記新しいＩＰアドレスはＩＭＳメディアルーティングのためのものであることを指示する情報を提供する、請求項１０に記載のＵＥ装置。
【請求項１３】
前記受信した新しいＩＰアドレスがｍｕｌｔｉ−ｈｏｍｉｎｇ基盤のＰＳＡ追加に関連することに基づいて、前記ＵＥのＮＡＳレイヤは、上位レイヤに、前記新しいＩＰアドレスはＩＭＳメディアのみのためのものであることを指示する情報を提供する、請求項１０に記載のＵＥ装置。
【発明の詳細な説明】
【技術分野】
【０００１】
本発明は無線通信システムに関し、より具体的には、ｍｕｌｔｉ−ｈｏｍｉｎｇ基盤のＰＳＡ追加に関連して信号を送受信する方法及び装置に関する。
【背景技術】
【０００２】
無線通信システムが音声やデータなどのような種々の通信サービスを提供するために広範囲に展開されている。一般に、無線通信システムは、可用システムリソース(帯域幅、送信パワーなど)を共有してマルチユーザとの通信を支援できる多重接続(ｍｕｌｔｉｐｌｅ ａｃｃｅｓｓ)システムである。多重接続システムの例には、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システム、ＭＣ−ＦＤＭＡ(ｍｕｌｔｉ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。
【発明の概要】
【発明が解決しようとする課題】
【０００３】
本発明では、５Ｇ移動通信システムにおいて、ｍｕｌｔｉ−ｈｏｍｉｎｇ基盤のＰＳＡ追加に関連してＵＥに新しいＩＰアドレスが割り当てられた場合、ＵＥを含むネットワークノードの動作を定義することを技術的課題とする。
【０００４】
本発明で遂げようとする技術的目的は以上で言及した事項に限定されず、言及していない別の技術的課題は、以下に説明する本発明の実施例から、本発明の属する技術の分野における通常の知識を有する者によって考慮されるであろう。
【課題を解決するための手段】
【０００５】
本発明の一実施例は、無線通信システムにおいて、ｍｕｌｔｉ−ｈｏｍｉｎｇ基盤のＰＳＡ追加に関連するＵＥ(Ｕｓｅｒ Ｅｑｕｉｐｍｅｎｔ)の信号送受信方法であって、第１ＰＳＡ(Ｐｒｏｔｏｃｏｌ ｄａｔａ ｕｎｉｔ Ｓｅｓｓｉｏｎ Ａｎｃｈｏｒ)とＰＤＵ(Ｐｒｏｔｏｃｏｌ Ｄａｔａ Ｕｎｉｔ)セッションを確立する段階と、ＳＭＦ(Ｓｅｓｓｉｏｎ Ｍａｎａｇｅｍｅｎｔ Ｆｕｎｃｔｉｏｎ)から新しいＩＰアドレス(ｎｅｗ ＩＰ ａｄｄｒｅｓｓ)を受信する段階を含み、該受信された新しいＩＰアドレスがｍｕｌｔｉ−ｈｏｍｉｎｇ基盤のＰＳＡ追加に関連する場合、ＵＥは新しいＩＰアドレスを使用したＩＭＳ登録(ＩＭＳ ｒｅｇｉｓｔｒａｔｉｏｎ)を行わない、ＰＳＡ追加に関連する信号送受信方法である。
【０００６】
本発明の一実施例は、無線通信システムにおいて、ｍｕｌｔｉ−ｈｏｍｉｎｇ基盤のＰＳＡ追加に関連する信号を送受信するＵＥ(Ｕｓｅｒ Ｅｑｕｉｐｍｅｎｔ)装置であって、送受信装置と、プロセッサを含み、該プロセッサは、第１ＰＳＡ(ｐｒｏｔｏｃｏｌ ｄａｔａ ｕｎｉｔ ｓｅｓｓｉｏｎ ａｎｃｈｏｒ)とＰＤＵ(ｐｒｏｔｏｃｏｌ ｄａｔａ ｕｎｉｔ)セッションを確立し、ＳＭＦ(Ｓｅｓｓｉｏｎ Ｍａｎａｇｅｍｅｎｔ Ｆｕｎｃｔｉｏｎ)から新しいＩＰアドレスを受信し、該受信された新しいＩＰアドレスがｍｕｌｔｉ−ｈｏｍｉｎｇ基盤のＰＳＡ追加に関連する場合、ＵＥは新しいＩＰアドレスを使用したＩＭＳ登録を行わない、ＵＥ装置である。
【０００７】
上記受信された新しいＩＰアドレスがｍｕｌｔｉ−ｈｏｍｉｎｇ基盤のＰＳＡ追加に関連する場合、新しいＩＰアドレスは追加された第２ＰＳＡへのＩＭＳメディアルーティングに使用される。
【０００８】
上記受信された新しいＩＰアドレスがｍｌｔｉ−ｈｏｍｉｎｇ基盤のＰＳＡ追加に関連する場合、ＵＥのＮＡＳレイヤは上位レイヤであり、新しいＩＰアドレスはＩＭＳメディアルーティングのためのものであることを指示する情報を提供できる。
【０００９】
上記受信された新しいＩＰアドレスがｍｕｌｔｉ−ｈｏｍｉｎｇ基盤のＰＳＡ追加に関連する場合、ＵＥのＮＡＳレイヤは上位レイヤであり、新しいＩＰアドレスはＩＭＳメディアのみのためのものであることを指示する情報を提供できる。
【００１０】
上記新しいＩＰアドレスは新しいＩＰｖ６ ｐｒｅｆｉｘである。
【００１１】
上記上位レイヤはＩＭＳレイヤである。
【００１２】
上記第２ＰＳＡはｌｏｃａｌｉｚｅｄ ＵＰＦ(Ｕｓｅｒ Ｐｌａｎｅ Ｆｕｎｃｔｉｏｎ)である。
【００１３】
上記第１ＰＳＡはＵＰＦである。
【００１４】
上記ＵＥが新しいＩＰアドレスを使用したＩＭＳ登録を行わないことは、ＳＭＦから提供された情報又はＵＥに設定された情報に基づく。
【発明の効果】
【００１５】
本発明によれば、ｍｕｌｔｉ−ｈｏｍｉｎｇ基盤のＰＳＡ追加の場合、不要なＩＭＳ登録手順を省略することができる。
【００１６】
本発明で得られる効果は以上に言及した効果に制限されず、言及しなかった他の効果は下記の記載から本発明が属する当該技術分野における当業者に明確に理解されるであろう。
【図面の簡単な説明】
【００１７】
本発明に関する理解を助けるために詳細な説明の一部として含まれる添付図面は、本発明に対する実施例を提供し、詳細な説明と共に本発明の技術的思想を説明する。
【００１８】
【図１】ＥＰＣ(Ｅｖｏｌｖｅｄ Ｐａｃｋｅｔ Ｃｏｒｅ)を含むＥＰＳ(Ｅｖｏｌｖｅｄ Ｐａｃｋｅｔ Ｓｙｓｔｅｍ)の概略的な構造を示す図である。
【図２】一般的なＥ−ＵＴＲＡＮとＥＰＣのアーキテクチャーを例示する図である。
【図３】制御平面における無線インターフェースプロトコルの構造を示す図である。
【図４】ユーザ平面における無線インターフェースプロトコルの構造を示す図である。
【図５】ランダムアクセス過程を説明するためのフローチャートである。
【図６】無線リソース制御(ＲＲＣ)階層における連結過程を示す図である。
【図７】５Ｇシステムを説明する図である。
【図８】従来技術による多数のＰＤＵセッションアンカーに関する内容を示す図である。
【図９】従来技術による多数のＰＤＵセッションアンカーに関する内容を示す図である。
【図１０】従来技術による多数のＰＤＵセッションアンカーに関する内容を示す図である。
【図１１】従来技術による多数のＰＤＵセッションアンカーに関する内容を示す図である。
【図１２】従来技術による多数のＰＤＵセッションアンカーに関する内容を示す図である。
【図１３】ＩＭＳ登録手順を示す図である。
【図１４】本発明の実施例による新しいＩＰアドレスを用いてｌｏｃａｌｉｚｅｄ ＵＰＦによりＩＭＳ ｍｅｄｉａのルーティングを示す図である。
【図１５】本発明の実施例による新しいＩＰアドレスを用いてＩＭＳ ｍｅｄｉａをルーティングする手順を示す図である。
【図１６】表１０乃至表１２に示された図を示す図である。
【図１７】表１０乃至表１２に示された図を示す図である。
【図１８】表１０乃至表１２に示された図を示す図である。
【図１９】表１０乃至表１２に示された図を示す図である。
【図２０】本発明の実施例によるノード装置の構成を示す図である。
【発明を実施するための形態】
【００１９】
以下の実施例は本発明の構成要素と特徴を所定の形態で結合したものである。各構成要素又は特徴は、別の明示的な言及がない限り、選択的なものとして考慮することができる。各構成要素又は特徴は他の構成要素や特徴と結合しない形態で実施されてもよく、一部の構成要素及び／又は特徴を結合して本発明の実施例を構成してもよい。本発明の実施例において説明される動作の順序は変更されてもよい。ある実施例の一部の構成や特徴は別の実施例に含まれてもよく、別の実施例の対応する構成又は特徴に取り替わってもよい。
【００２０】
以下の説明で使われる特定用語は、本発明の理解を助けるために提供されたもので、これらの特定用語の使用は、本発明の技術的思想から逸脱することなく他の形態に変更されてもよい。 
【００２１】
場合によっては、本発明の概念が曖昧になることを避けるために、公知の構造及び装置は省略されたり、各構造及び装置の核心機能を中心にしたブロック図の形式で示されてもよい。また、本明細書全体を通じて同一の構成要素には同一の図面符号を付して説明する。
【００２２】
本発明の実施例はＩＥＥＥ(Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ)８０２系システム、３ＧＰＰシステム、３ＧＰＰ ＬＴＥ及びＬＴＥ−Ａシステム及び３ＧＰＰ２システムのうち少なくとも一つに関して開示された標準文書によって裏付けられることができる。即ち、本発明の実施例において本発明の技術的思想を明確に示すために説明しなかった段階又は部分は前記文書によって裏付けられることができる。また、本文書で開示している全ての用語は前記標準文書によって説明可能である。
【００２３】
以下の技術は多様な無線通信システムで使用可能である。明確性のために、以下では３ＧＰＰ ＬＴＥ及び３ＧＰＰ ＬＴＥ−Ａシステムを主として説明するが、本発明の技術的思想がこれに制限されるものではない。
【００２４】
本文書で使われる用語は次のように定義される。
【００２５】
−ＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)：３ＧＰＰによって開発された、ＧＳＭ(Ｇｌｏｂａｌ Ｓｙｓｔｅｍ ｆｏｒ Ｍｏｂｉｌｅ Ｃｏｍｍｕｎｉｃａｔｉｏｎ)ベースの３世代(Ｇｅｎｅｒａｔｉｏｎ)移動通信技術。
【００２６】
−ＥＰＳ(Ｅｖｏｌｖｅｄ Ｐａｃｋｅｔ Ｓｙｓｔｅｍ)：ＩＰ(Ｉｎｔｅｒｎｅｔ Ｐｒｏｔｏｃｏｌ)ベースのＰＳ(ｐａｃｋｅｔ ｓｗｉｔｃｈｅｄ)コア(ｃｏｒｅ)ネットワークであるＥＰＣ(Ｅｖｏｌｖｅｄ Ｐａｃｋｅｔ Ｃｏｒｅ)とＬＴＥ／ＵＴＲＡＮなどのアクセスネットワークとで構成されたネットワークシステム。ＵＭＴＳが進化した形態のネットワークである。
【００２７】
−ＮｏｄｅＢ：ＧＥＲＡＮ／ＵＴＲＡＮの基地局。屋外に設置し、カバレッジはマクロセル(ｍａｃｒｏ ｃｅｌｌ)規模である。
【００２８】
−ｅＮｏｄｅＢ：Ｅ−ＵＴＲＡＮの基地局。屋外に設置し、カバレッジはマクロセル(ｍａｃｒｏ ｃｅｌｌ)規模である。
【００２９】
−ＵＥ(Ｕｓｅｒ Ｅｑｕｉｐｍｅｎｔ)：ユーザ機器。ＵＥは、端末(ｔｅｒｍｉｎａｌ)、ＭＥ(Ｍｏｂｉｌｅ Ｅｑｕｉｐｍｅｎｔ)、ＭＳ(Ｍｏｂｉｌｅ Ｓｔａｔｉｏｎ)などと呼ぶこともできる。また、ＵＥは、ノートパソコン、携帯電話、ＰＤＡ(Ｐｅｒｓｏｎａｌ Ｄｉｇｉｔａｌ Ａｓｓｉｓｔａｎｔ)、スマートフォン、マルチメディア機器などのように携帯可能な機器であってもよく、ＰＣ(Ｐｅｒｓｏｎａｌ Ｃｏｍｐｕｔｅｒ)、車両搭載装置のように携帯不可能な機器であってもよい。ＭＴＣ関連内容においてＵＥ又は端末という用語は、ＭＴＣデバイスを指すことができる。
【００３０】
−ＨＮＢ(Ｈｏｍｅ ＮｏｄｅＢ)：ＵＭＴＳネットワークの基地局であり、屋内に設置し、カバレッジはマイクロセル(ｍｉｃｒｏ ｃｅｌｌ)規模である。
【００３１】
−ＨｅＮＢ(Ｈｏｍｅ ｅＮｏｄｅＢ)：ＥＰＳネットワークの基地局であり、屋内に設置し、カバレッジはマイクロセル規模である。
【００３２】
−ＭＭＥ(Ｍｏｂｉｌｉｔｙ Ｍａｎａｇｅｍｅｎｔ Ｅｎｔｉｔｙ)：移動性管理(Ｍｏｂｉｌｉｔｙ Ｍａｎａｇｅｍｅｎｔ；ＭＭ)、セッション管理(Ｓｅｓｓｉｏｎ Ｍａｎａｇｅｍｅｎｔ；ＳＭ)機能を有するＥＰＳネットワークのネットワークノード。
【００３３】
−ＰＤＮ−ＧＷ(Ｐａｃｋｅｔ Ｄａｔａ Ｎｅｔｗｏｒｋ−Ｇａｔｅｗａｙ)／ＰＧＷ／Ｐ−ＧＷ：ＵＥ ＩＰアドレス割り当て、パケットスクリーニング(ｓｃｒｅｅｎｉｎｇ)及びフィルタリング、課金データ集合(ｃｈａｒｇｉｎｇ ｄａｔａ ｃｏｌｌｅｃｔｉｏｎ)機能などを有するＥＰＳネットワークのネットワークノード。
【００３４】
−ＳＧＷ(Ｓｅｒｖｉｎｇ Ｇａｔｅｗａｙ)：移動性アンカー(ｍｏｂｉｌｉｔｙ ａｎｃｈｏｒ)、パケットルーティング(ｒｏｕｔｉｎｇ)、休止(ｉｄｌｅ)モードパケットバッファリング、ＭＭＥがＵＥをページングするようにトリガーする機能などを有するＥＰＳネットワークのネットワークノード。
【００３５】
−ＮＡＳ(Ｎｏｎ−Ａｃｃｅｓｓ Ｓｔｒａｔｕｍ)：ＵＥとＭＭＥ間の制御プレーン(ｃｏｎｔｒｏｌ ｐｌａｎｅ)の上位端(ｓｔｒａｔｕｍ)。ＬＴＥ／ＵＭＴＳプロトコルスタックにおいてＵＥとコアネットワーク間のシグナリング、トラフィックメッセージを取り交わすための機能的な階層であって、ＵＥの移動性を支援し、ＵＥとＰＤＮ ＧＷ間のＩＰ連結を確立(ｅｓｔａｂｌｉｓｈ)及び維持するセッション管理過程を支援することを主な機能とする。
【００３６】
−ＰＤＮ(Ｐａｃｋｅｔ Ｄａｔａ Ｎｅｔｗｏｒｋ)：特定のサービスを支援するサーバー(例えば、ＭＭＳ(Ｍｕｌｔｉｍｅｄｉａ Ｍｅｓｓａｇｉｎｇ Ｓｅｒｖｉｃｅ)サーバー、ＷＡＰ(Ｗｉｒｅｌｅｓｓ Ａｐｐｌｉｃａｔｉｏｎ Ｐｒｏｔｏｃｏｌ)サーバーなど)が位置しているネットワーク。
【００３７】
−ＰＤＮ連結：一つのＩＰアドレス(一つのＩＰｖ４住所(アドレス)及び／又は一つのＩＰｖ６プレフィックス)で表現される、ＵＥとＰＤＮ間の論理的連結。
【００３８】
−ＲＡＮ(Ｒａｄｉｏ Ａｃｃｅｓｓ Ｎｅｔｗｏｒｋ)：３ＧＰＰネットワークでＮｏｄｅＢ、ｅＮｏｄｅＢ及びこれらを制御するＲＮＣ(Ｒａｄｉｏ Ｎｅｔｗｏｒｋ Ｃｏｎｔｒｏｌｌｅｒ)を含む単位。ＵＥ間に存在し、コアネットワークへの連結を提供する。
【００３９】
−ＨＬＲ(Ｈｏｍｅ Ｌｏｃａｔｉｏｎ Ｒｅｇｉｓｔｅｒ)／ＨＳＳ(Ｈｏｍｅ Ｓｕｂｓｃｒｉｂｅｒ Ｓｅｒｖｅｒ)：３ＧＰＰネットワーク内の加入者情報を持っているデータベース。ＨＳＳは設定保存(ｃｏｎｆｉｇｕｒａｔｉｏｎ ｓｔｏｒａｇｅ)、アイデンティティ管理(ｉｄｅｎｔｉｔｙ ｍａｎａｇｅｍｅｎｔ)、使用者状態保存などの機能を行うことができる。
【００４０】
−ＰＬＭＮ(Ｐｕｂｌｉｃ Ｌａｎｄ Ｍｏｂｉｌｅ Ｎｅｔｗｏｒｋ)：個人に移動通信サービスを提供する目的で構成されたネットワーク。オペレーター別に区分されて構成できる。
【００４１】
−Ｐｒｏｘｉｍｉｔｙ Ｓｅｒｖｉｃｅ(又はＰｒｏＳｅ Ｓｅｒｖｉｃｅ又はＰｒｏｘｉｍｉｔｙ ｂａｓｅｄ Ｓｅｒｖｉｃｅ)：物理的に近接した装置間のディスカバリー及び互いに直接的なコミュニケーション又は基地局を介してのコミュニケーション又は第３の装置を介してのコミュニケーションが可能なサービス。この際、使用者平面データ(ｕｓｅｒ ｐｌａｎｅ ｄａｔａ)は３ＧＰＰコアネットワーク(例えば、ＥＰＣ)を介せずに直接データ経路(ｄｉｒｅｃｔ ｄａｔａ ｐａｔｈ)を介して交換される。
【００４２】
ＥＰＣ(Ｅｖｏｌｖｅｄ Ｐａｃｋｅｔ Ｃｏｒｅ)
【００４３】
図１はＥＰＣ(Ｅｖｏｌｖｅｄ Ｐａｃｋｅｔ Ｃｏｒｅ)を含むＥＰＳ(Ｅｖｏｌｖｅｄ Ｐａｃｋｅｔ Ｓｙｓｔｅｍ)の概略的な構造を示す図である。
【００４４】
ＥＰＣは３ＧＰＰ技術の性能を向上するためのＳＡＥ(Ｓｙｓｔｅｍ Ａｒｃｈｉｔｅｃｔｕｒｅ Ｅｖｏｌｕｔｉｏｎ)の核心的な要素である。ＳＡＥは多様な種類のネットワーク間の移動性を支援するネットワーク構造を決定する研究課題に相当する。ＳＡＥは、例えばＩＰに基づいて多様な無線接続技術を支援し、より向上したデータ伝送能力を提供するなどの最適化したパケットに基づくシステムを提供することを目標とする。
【００４５】
具体的に、ＥＰＣは３ＧＰＰ ＬＴＥシステムのためのＩＰ移動通信システムのコアネットワーク(Ｃｏｒｅ Ｎｅｔｗｏｒｋ)であり、パケットに基づく実時間及び非実時間サービスを支援することができる。既存の移動通信システム(即ち、２世代又は３世代移動通信システム)では音声のためのＣＳ(Ｃｉｒｃｕｉｔ−Ｓｗｉｔｃｈｅｄ)及びデータのためのＰＳ(Ｐａｃｋｅｔ−Ｓｗｉｔｃｈｅｄ)の二つの区別されるサブドメインによってコアネットワークの機能が具現された。しかし、３世代移動通信システムの進化である３ＧＰＰ ＬＴＥシステムでは、ＣＳ及びＰＳのサブドメインが一つのＩＰドメインに単一化した。即ち、３ＧＰＰ ＬＴＥシステムでは、ＩＰ能力(ｃａｐａｂｉｌｉｔｙ)を有する端末と端末間の連結が、ＩＰに基づく基地局(例えば、ｅＮｏｄｅＢ(ｅｖｏｌｖｅｄ ＮｏｄｅＢ))、ＥＰＣ、アプリケーションドメイン(例えば、ＩＭＳ(ＩＰ Ｍｕｌｔｉｍｅｄｉａ Ｓｕｂｓｙｓｔｅｍ))で構成されることができる。即ち、ＥＰＣは端対端(ｅｎｄ−ｔｏ−ｅｎｄ)ＩＰサービス具現に必須な構造である。
【００４６】
ＥＰＣは多様な構成要素を含むことができ、図１は、その一部に相当する、ＳＧＷ(Ｓｅｒｖｉｎｇ Ｇａｔｅｗａｙ)、ＰＤＮ ＧＷ(Ｐａｃｋｅｔ Ｄａｔａ Ｎｅｔｗｏｒｋ Ｇａｔｅｗａｙ)、ＭＭＥ(Ｍｏｂｉｌｉｔｙ Ｍａｎａｇｅｍｅｎｔ Ｅｎｔｉｔｙ)、ＳＧＳＮ(Ｓｅｒｖｉｎｇ ＧＰＲＳ(Ｇｅｎｅｒａｌ Ｐａｃｋｅｔ Ｒａｄｉｏ Ｓｅｒｖｉｃｅ)Ｓｕｐｐｏｒｔｉｎｇ Ｎｏｄｅ)、ｅＰＤＧ(ｅｎｈａｎｃｅｄ Ｐａｃｋｅｔ Ｄａｔａ Ｇａｔｅｗａｙ)を示す。
【００４７】
ＳＧＷ(又はＳ−ＧＷ)は無線接続ネットワーク(ＲＡＮ)とコアネットワーク間の境界点として動作し、ｅＮｏｄｅＢとＰＤＮ ＧＷ間のデータ経路を維持する機能を行う要素である。また、端末がｅＮｏｄｅＢによってサービング(ｓｅｒｖｉｎｇ)される領域にわたって移動する場合、ＳＧＷはローカル移動性アンカーポイント(ａｎｃｈｏｒ ｐｏｉｎｔ)の役目をする。即ち、Ｅ−ＵＴＲＡＮ(３ＧＰＰリリース８以後に定義されるＥｖｏｌｖｅｄ−ＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)Ｔｅｒｒｅｓｔｒｉａｌ Ｒａｄｉｏ Ａｃｃｅｓｓ Ｎｅｔｗｏｒｋ)内での移動性のためにＳＧＷを介してパケットがルーティングされることができる。また、ＳＧＷは他の３ＧＰＰネットワーク(３ＧＰＰリリース８以前に定義されるＲＡＮ、例えばＵＴＲＡＮ又はＧＥＲＡＮ(ＧＳＭ(Ｇｌｏｂａｌ Ｓｙｓｔｅｍ ｆｏｒ Ｍｏｂｉｌｅ Ｃｏｍｍｕｎｉｃａｔｉｏｎ)／ＥＤＧＥ(Ｅｎｈａｎｃｅｄ Ｄａｔａ ｒａｔｅｓ ｆｏｒ Ｇｌｏｂａｌ Ｅｖｏｌｕｔｉｏｎ)Ｒａｄｉｏ Ａｃｃｅｓｓ Ｎｅｔｗｏｒｋ)との移動性のためのアンカーポイントとして機能することもできる。
【００４８】
ＰＤＮ ＧＷ(又はＰ−ＧＷ)はパケットデータネットワークに向かうデータインターフェースの終了点(ｔｅｒｍｉｎａｔｉｏｎ ｐｏｉｎｔ)に相当する。ＰＤＮ ＧＷは政策執行特徴(ｐｏｌｉｃｙ ｅｎｆｏｒｃｅｍｅｎｔ ｆｅａｔｕｒｅｓ)、パケットフィルタリング(ｐａｃｋｅｔ ｆｉｌｔｅｒｉｎｇ)、課金支援(ｃｈａｒｇｉｎｇ ｓｕｐｐｏｒｔ)などを支援することができる。また、３ＧＰＰネットワークと非３ＧＰＰネットワーク(例えば、Ｉ−ＷＬＡＮ(Ｉｎｔｅｒｗｏｒｋｉｎｇ Ｗｉｒｅｌｅｓｓ Ｌｏｃａｌ Ａｒｅａ Ｎｅｔｗｏｒｋ)のような信頼できないネットワーク、ＣＤＭＡ(Ｃｏｄｅ ｄｉｖｉｓｉｏｎ ｍｕｌｔｉｐｌｅ ａｃｃｅｓｓ)ネットワーク又はＷｉＭａｘのような信頼できるネットワーク)との移動性管理のためのアンカーポイントの役目をすることができる。
【００４９】
図１のネットワーク構造の例示ではＳＧＷとＰＤＮ ＧＷが別個のゲートウェイで構成されるものを示すが、２つのゲートウェイが単一ゲートウェイ構成オプション(Ｓｉｎｇｌｅ Ｇａｔｅｗａｙ Ｃｏｎｆｉｇｕｒａｔｉｏｎ Ｏｐｔｉｏｎ)によって具現されることもできる。
【００５０】
ＭＭＥは、ＵＥのネットワーク連結に対するアクセス、ネットワークリソースの割当て、トラッキング(ｔｒａｃｋｉｎｇ)、ページング(ｐａｇｉｎｇ)、ローミング(ｒｏａｍｉｎｇ)及びハンドオーバーなどを支援するためのシグナリング及び制御機能を行う要素である。ＭＭＥは加入者及びセッション管理に係わる制御平面(ｃｏｎｔｒｏｌ ｐｌａｎｅ)の機能を制御する。ＭＭＥは幾多のｅＮｏｄｅＢを管理し、他の２Ｇ／３Ｇネットワークに対するハンドオーバーのための従来のゲートウェイの選択のためのシグナリングを行う。また、ＭＭＥは保安過程(Ｓｅｃｕｒｉｔｙ Ｐｒｏｃｅｄｕｒｅｓ)、端末対ネットワークセッションハンドリング(Ｔｅｒｍｉｎａｌ−ｔｏ−ｎｅｔｗｏｒｋ Ｓｅｓｓｉｏｎ Ｈａｎｄｌｉｎｇ)、遊休端末位置決定管理(Ｉｄｌｅ Ｔｅｒｍｉｎａｌ Ｌｏｃａｔｉｏｎ Ｍａｎａｇｅｍｅｎｔ)などの機能を行う。
【００５１】
ＳＧＳＮは他の３ＧＰＰネットワーク(例えば、ＧＰＲＳネットワーク)に対する使用者の移動性管理及び認証(ａｕｔｈｅｎｔｉｃａｔｉｏｎ)のような全てのパケットデータをハンドリングする。
【００５２】
ｅＰＤＧは信頼できない非３ＧＰＰネットワーク(例えば、Ｉ−ＷＬＡＮ、ＷｉＦｉホットスポット(ｈｏｔｓｐｏｔ)など)に対する保安ノードとしての役目をする。
【００５３】
図１を参照して説明したように、ＩＰ能力を有する端末は、３ＧＰＰアクセスはもちろんのこと、非３ＧＰＰアクセスに基づいてもＥＰＣ内の多様な要素を介して事業者(即ち、オペレーター(ｏｐｅｒａｔｏｒ))が提供するＩＰサービスネットワーク(例えば、ＩＭＳ)にアクセスすることができる。
【００５４】
また、図１では多様なレファレンスポイント(例えば、Ｓ１−Ｕ、Ｓ１−ＭＭＥなど)を示す。３ＧＰＰシステムでは、Ｅ−ＵＴＲＡＮ及びＥＰＣの相異なる機能個体(ｆｕｎｃｔｉｏｎａｌ ｅｎｔｉｔｙ)に存在する二つの機能を連結する概念的なリンクをレファレンスポイント(ｒｅｆｅｒｅｎｃｅ ｐｏｉｎｔ)と定義する。次の表１は図１に示したレファレンスポイントをまとめたものである。表１の例示の外にもネットワーク構造によって多様なレファレンスポイントが存在することができる。
【００５５】
【表１−２】
0006825143.tif 000002
【００５６】
【表１−２】
0006825143.tif 000003
【００５７】
図１に示したレファレンスポイントのうちＳ２ａ及びＳ２ｂは非３ＧＰＰインターフェースに相当する。Ｓ２ａは信頼できる非３ＧＰＰアクセス及びＰＤＮ ＧＷ間の関連制御及び移動性支援を使用者平面に提供するレファレンスポイントである。Ｓ２ｂはｅＰＤＧ及びＰＤＮ ＧＷ間の関連制御及び移動性支援を使用者平面に提供するレファレンスポイントである。
【００５８】
図２は一般的なＥ−ＵＴＲＡＮとＥＰＣのアーキテクチャーを示した例示図である。
【００５９】
図示のように、ｅＮｏｄｅＢはＲＲＣ(Ｒａｄｉｏ Ｒｅｓｏｕｒｃｅ Ｃｏｎｔｒｏｌ)連結が活性化しているうちにゲートウェイへのルーティング、ページングメッセージのスケジューリング及び伝送、ブロードキャストチャネル(ＢＣＨ)のスケジューリング及び伝送、上りリンク及び下りリンクでのリソースのＵＥへの動的割当て、ｅＮｏｄｅＢの測定のための設定及び提供、無線ベアラー制御、無線許可制御(ｒａｄｉｏ ａｄｍｉｓｓｉｏｎ ｃｏｎｔｒｏｌ)、及び連結移動性制御などのための機能を行うことができる。ＥＰＣ内ではページング発生、ＬＴＥ＿ＩＤＬＥ状態管理、使用者平面の暗号化、ＳＡＥベアラー制御、ＮＡＳシグナリングの暗号化及び無欠性保護機能を行うことができる。
【００６０】
図３は端末と基地局間の制御平面での無線インターフェースプロトコル(Ｒａｄｉｏ Ｉｎｔｅｒｆａｃｅ Ｐｒｏｔｏｃｏｌ)の構造を示した例示図、図４は端末と基地局間の使用者平面での無線インターフェースプロトコルの構造を示した例示図である。
【００６１】
無線インターフェースプロトコルは３ＧＰＰ無線接続網規格を基盤とする。無線インターフェースプロトコルは水平的に物理階層(Ｐｈｙｓｉｃａｌ Ｌａｙｅｒ)、データリンク階層(Ｄａｔａ Ｌｉｎｋ Ｌａｙｅｒ)及びネットワーク階層(Ｎｅｔｗｏｒｋ Ｌａｙｅｒ)からなり、垂直的にはデータ情報伝送のための使用者平面(Ｕｓｅｒ Ｐｌａｎｅ)と制御信号(Ｓｉｇｎａｌｉｎｇ)伝達のための制御平面(Ｃｏｎｔｒｏｌ ｐｌａｎｅ)に区分される。
【００６２】
プロトコル階層は通信システムで広く知られた開放型システム間の相互接続(Ｏｐｅｎ Ｓｙｓｔｅｍ Ｉｎｔｅｒｃｏｎｎｅｃｔｉｏｎ；ＯＳＩ)基準モデルの下位３個階層を基にしてＬ１(第１階層)、Ｌ２(第２階層)、Ｌ３(第３階層)に区分されることができる。
【００６３】
以下で、図３に示した制御平面の無線プロトコルと、図４に示した使用者平面での無線プロトコルの各階層を説明する。
【００６４】
第１階層である物理階層は物理チャネル(Ｐｈｙｓｉｃａｌ Ｃｈａｎｎｅｌ)を用いて情報伝送サービス(Ｉｎｆｏｒｍａｔｉｏｎ Ｔｒａｎｓｆｅｒ Ｓｅｒｖｉｃｅ)を提供する。物理階層は上位の媒体接続制御(Ｍｅｄｉｕｍ Ａｃｃｅｓｓ Ｃｏｎｔｒｏｌ)階層とは伝送チャネル(Ｔｒａｎｓｐｏｒｔ Ｃｈａｎｎｅｌ)を介して連結されており、伝送チャネルを介して媒体接続制御階層と物理階層間のデータが伝達される。そして、相異なる物理階層の間、つまり送信側と受信側の物理階層の間は物理チャネルを介してデータが伝達される。
【００６５】
物理チャネル(Ｐｈｙｓｉｃａｌ Ｃｈａｎｎｅｌ)は時間軸上の複数のサブフレームと周波数軸上の複数のサブキャリア(Ｓｕｂ−ｃａｒｒｉｅｒ)で構成される。ここで、一つのサブフレーム(Ｓｕｂ−ｆｒａｍｅ)は時間軸上の複数のシンボル(Ｓｙｍｂｏｌ)と複数のサブキャリアで構成される。一つのサブフレームは複数のリソースブロック(Ｒｅｓｏｕｒｃｅ Ｂｌｏｃｋ)で構成され、一つのリソースブロックは複数のシンボル(Ｓｙｍｂｏｌ)と複数のサブキャリアで構成される。データが伝送される単位時間であるＴＴＩ(Ｔｒａｎｓｍｉｓｓｉｏｎ Ｔｉｍｅ Ｉｎｔｅｒｖａｌ)は一つのサブフレームに相当する１ｍｓである。
【００６６】
送信側と受信側の物理階層に存在する物理チャネルは、３ＧＰＰ ＬＴＥによれば、データチャネルであるＰＤＳＣＨ(Ｐｈｙｓｉｃａｌ Ｄｏｗｎｌｉｎｋ Ｓｈａｒｅｄ Ｃｈａｎｎｅｌ)及びＰＵＳＣＨ(Ｐｈｙｓｉｃａｌ Ｕｐｌｉｎｋ Ｓｈａｒｅｄ Ｃｈａｎｎｅｌ)、及び制御チャネルであるＰＤＣＣＨ(Ｐｈｙｓｉｃａｌ Ｄｏｗｎｌｉｎｋ Ｃｏｎｔｒｏｌ Ｃｈａｎｎｅｌ)、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＨＩＣＨ(Ｐｈｙｓｉｃａｌ Ｈｙｂｒｉｄ−ＡＲＱ Ｉｎｄｉｃａｔｏｒ Ｃｈａｎｎｅｌ)及びＰＵＣＣＨ(Ｐｈｙｓｉｃａｌ Ｕｐｌｉｎｋ Ｃｏｎｔｒｏｌ Ｃｈａｎｎｅｌ)に区分することができる。
【００６７】
第２階層には様々な階層が存在する。
【００６８】
まず、第２階層の媒体接続制御(Ｍｅｄｉｕｍ Ａｃｃｅｓｓ Ｃｏｎｔｒｏｌ；ＭＡＣ)階層は多様な論理チャネル(Ｌｏｇｉｃａｌ Ｃｈａｎｎｅｌ)を多様な伝送チャネルにマッピングする役目をし、また多様な論理チャネルを一つの伝送チャネルにマッピングする論理チャネル多重化(Ｍｕｌｔｉｐｌｅｘｉｎｇ)の役目を行う。ＭＡＣ階層は上位階層であるＲＬＣ階層とは論理チャネル(Ｌｏｇｉｃａｌ Ｃｈａｎｎｅｌ)で連結されており、論理チャネルは、大別して、伝送される情報の種類によって制御平面(Ｃｏｎｔｒｏｌ ｐｌａｎｅ)の情報を送信する制御チャネル(Ｃｏｎｔｒｏｌ Ｃｈａｎｎｅｌ)と使用者平面(Ｕｓｅｒ Ｐｌａｎｅ)の情報を送信するトラフィックチャネル(Ｔｒａｆｆｉｃ Ｃｈａｎｎｅｌ)に区分される。
【００６９】
第２階層の無線リンク制御(Ｒａｄｉｏ Ｌｉｎｋ Ｃｏｎｔｒｏｌ；ＲＬＣ)階層は上位階層から受信したデータを分割(Ｓｅｇｍｅｎｔａｔｉｏｎ)及び連結(Ｃｏｎｃａｔｅｎａｔｉｏｎ)して、下位階層が無線区間にデータを送信するのに適するようにデータの大きさを調節する役目を行う。
【００７０】
第２階層のパケットデータ収斂プロトコル(Ｐａｃｋｅｔ Ｄａｔａ Ｃｏｎｖｅｒｇｅｎｃｅ Ｐｒｏｔｏｃｏｌ；ＰＤＣＰ)階層はＩＰｖ４又はＩＰｖ６のようなＩＰパケットの伝送時に帯域幅の小さな無線区間で効率的に送信するために、相対的に大きくて不必要な制御情報を含んでいるＩＰパケットヘッダーのサイズを減らすヘッダー圧縮(Ｈｅａｄｅｒ Ｃｏｍｐｒｅｓｓｉｏｎ)の機能を行う。また、ＬＴＥシステムではＰＤＣＰ階層が保安(Ｓｅｃｕｒｉｔｙ)機能も行う。これは第３者のデータ傍受を防止する暗号化(Ｃｉｐｈｅｒｉｎｇ)と第３者のデータ操作を防止する無欠性保護(Ｉｎｔｅｇｒｉｔｙ ｐｒｏｔｅｃｔｉｏｎ)で構成される。
【００７１】
第３階層の最上部に位置する無線リソース制御(Ｒａｄｉｏ Ｒｅｓｏｕｒｃｅ Ｃｏｎｔｒｏｌ；以下ＲＲＣと略称する)階層は制御平面でのみ定義され、無線運搬子(Ｒａｄｉｏ Ｂｅａｒｅｒ；ＲＢと略称する)の設定(Ｃｏｎｆｉｇｕｒａｔｉｏｎ)、再設定(Ｒｅ−ｃｏｎｆｉｇｕｒａｔｉｏｎ)及び解除(Ｒｅｌｅａｓｅ)に関連して論理チャネル、伝送チャネル及び物理チャネルの制御を担う。この際、ＲＢは端末とＥ−ＵＴＲＡＮ間のデータ伝達のために第２階層によって提供されるサービスを意味する。
【００７２】
端末のＲＲＣと無線網のＲＲＣ階層の間にＲＲＣ連結(ＲＲＣ ｃｏｎｎｅｃｔｉｏｎ)がある場合、端末はＲＲＣ連結状態(Ｃｏｎｎｅｃｔｅｄ Ｍｏｄｅ)にあるようになり、そうでない場合はＲＲＣ遊休モード(Ｉｄｌｅ ｍｏｄｅ)にあるようになる。
【００７３】
以下で端末のＲＲＣ状態(ＲＲＣ ｓｔａｔｅ)とＲＲＣ連結方法について説明する。ＲＲＣ状態とは端末のＲＲＣがＥ−ＵＴＲＡＮのＲＲＣとの論理的連結(ｌｏｇｉｃａｌ ｃｏｎｎｅｃｔｉｏｎ)をなしているか否かを言い、連結されている場合はＲＲＣ＿ＣＯＮＮＥＣＴＥＤ状態(ｓｔａｔｅ)、連結されていない場合はＲＲＣ＿ＩＤＬＥ状態と言う。ＲＲＣ＿ＣＯＮＮＥＣＴＥＤ状態の端末はＲＲＣ連結が存在するから、Ｅ−ＵＴＲＡＮは該当端末の存在をセル単位で把握することができ、よって端末を効果的に制御することができる。一方、ＲＲＣ＿ＩＤＬＥ状態の端末はＥ−ＵＴＲＡＮが端末の存在を把握することはできなく、セルより大きな地域単位であるＴＡ(Ｔｒａｃｋｉｎｇ Ａｒｅａ)単位で核心網が管理する。即ち、ＲＲＣ＿ＩＤＬＥ状態の端末はセルに比べて大きな地域単位で該当端末の存在有無のみ把握され、音声又はデータのような通常の移動通信サービスを受けるためには、該当端末がＲＲＣ＿ＣＯＮＮＥＣＴＥＤ状態に遷移しなければならない。各ＴＡはＴＡＩ(Ｔｒａｃｋｉｎｇ ａｒｅａ ｉｄｅｎｔｉｔｙ)によって区分される。端末はセルで放送(ｂｒｏａｄｃａｓｔｉｎｇ)される情報であるＴＡＣ(Ｔｒａｃｋｉｎｇ ａｒｅａ ｃｏｄｅ)によってＴＡＩを構成することができる。
【００７４】
使用者が端末の電源を最初に入れたとき、端末は先に適切なセルを探索した後、該当セルでＲＲＣ連結をなし、核心網に端末の情報を登録する。その後、端末はＲＲＣ＿ＩＤＬＥ状態に留まる。ＲＲＣ＿ＩＤＬＥ状態に留まる端末は必要によってセルを(再)選択し、システム情報(Ｓｙｓｔｅｍ ｉｎｆｏｒｍａｔｉｏｎ)又はページング情報を調べる。これをセルにキャンプオン(Ｃａｍｐ ｏｎ)すると言う。ＲＲＣ＿ＩＤＬＥ状態に留まっていた端末はＲＲＣ連結をなす必要があるときに初めてＲＲＣ連結過程(ＲＲＣ ｃｏｎｎｅｃｔｉｏｎ ｐｒｏｃｅｄｕｒｅ)によってＥ−ＵＴＲＡＮのＲＲＣとＲＲＣ連結をなし、ＲＲＣ＿ＣＯＮＮＥＣＴＥＤ状態に遷移する。ＲＲＣ＿ＩＤＬＥ状態にあった端末がＲＲＣ連結をなす必要がある場合は色々がある。例えば、使用者の通話試み、データ伝送試み、又はＥ−ＵＴＲＡＮからページングメッセージを受信した後、これに対する応答メッセージ伝送などを挙げることができる。
【００７５】
ＲＲＣ階層上に位置するＮＡＳ(Ｎｏｎ−Ａｃｃｅｓｓ Ｓｔｒａｔｕｍ)階層は連結管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を行う。
【００７６】
以下、図３に示したＮＡＳ階層について詳しく説明する。
【００７７】
ＮＡＳ階層に属するｅＳＭ(ｅｖｏｌｖｅｄ Ｓｅｓｓｉｏｎ Ｍａｎａｇｅｍｅｎｔ)はデフォルトベアラー(Ｄｅｆａｕｌｔ Ｂｅａｒｅｒ)管理、専用ベアラー(Ｄｅｄｉｃａｔｅｄ Ｂｅａｒｅｒ)管理のような機能を行い、端末が網からＰＳサービスを用いるための制御を担う。デフォルトベアラーリソースは特定のパケットデータネットワーク(Ｐａｃｋｅｔ Ｄａｔａ Ｎｅｔｗｏｒｋ；ＰＤＮ)に最初に接続するとき、網から割り当てられるという特徴を有する。この際、ネットワークは、端末がデータサービスを使えるように端末が使用可能なＩＰアドレスを割り当て、そしてデフォルトベアラーのＱｏＳを割り当てる。ＬＴＥでは、大別して、データ送受信のための特定の帯域幅を保障するＧＢＲ(Ｇｕａｒａｎｔｅｅｄ ｂｉｔ ｒａｔｅ)ＱｏＳ特性を有するベアラーと帯域幅の保障なしにＢｅｓｔ ｅｆｆｏｒｔ ＱｏＳ特性を有するＮｏｎ−ＧＢＲベアラーの２種を支援する。デフォルトベアラーの場合、Ｎｏｎ−ＧＢＲベアラーが割り当てられる。専用ベアラーの場合にはＧＢＲ又はＮｏｎ−ＧＢＲのＱｏＳ特性を有するベアラーが割り当てられることができる。
【００７８】
ネットワークで端末に割り当てたベアラーをＥＰＳ(ｅｖｏｌｖｅｄ ｐａｃｋｅｔ ｓｅｒｖｉｃｅ)ベアラーと言い、ＥＰＳベアラーを割り当てるとき、ネットワークは一つのＩＤを割り当てるようになる。これをＥＰＳベアラーＩＤと言う。一つのＥＰＳベアラーはＭＢＲ(ｍａｘｉｍｕｍ ｂｉｔ ｒａｔｅ)又は／及びＧＢＲ(Ｇｕａｒａｎｔｅｅｄ ｂｉｔ ｒａｔｅ)のＱｏＳ特性を有する。
【００７９】
図５は３ＧＰＰ ＬＴＥでのランダムアクセス過程を示したフローチャートである。
【００８０】
ランダムアクセス過程はＵＥが基地局に対するＵＬ同期を得るかＵＬ無線リソースを割り当てられるために用いられる。
【００８１】
ＵＥはルートインデックス(ｒｏｏｔ ｉｎｄｅｘ)とＰＲＡＣＨ(ｐｈｙｓｉｃａｌ ｒａｎｄｏｍ ａｃｃｅｓｓ ｃｈａｎｎｅｌ)設定インデックス(ｃｏｎｆｉｇｕｒａｔｉｏｎ ｉｎｄｅｘ)をｅＮｏｄｅＢから受信する。各セルごとにＺＣ(Ｚａｄｏｆｆ−Ｃｈｕ)シーケンスによって定義される６４個の候補(ｃａｎｄｉｄａｔｅ)ランダムアクセスプリアンブルがあり、ルートインデックスは端末が６４個の候補ランダムアクセスプリアンブルを生成するための論理的インデックスである。
【００８２】
ランダムアクセスプリアンブルの伝送は各セルごとに特定の時間及び周波数リソースに限定される。ＰＲＡＣＨ設定インデックスはランダムアクセスプリアンブルの伝送が可能な特定のサブフレームとプリアンブルフォーマットを指示する。
【００８３】
ＵＥは任意に選択されたランダムアクセスプリアンブルをｅＮｏｄｅＢに送信する。ＵＥは６４個の候補ランダムアクセスプリアンブルの一つを選択する。そして、ＰＲＡＣＨ設定インデックスによって該当のサブフレームを選択する。ＵＥは選択されたランダムアクセスプリアンブルを選択されたサブフレームに送信する。
【００８４】
ランダムアクセスプリアンブルを受信したｅＮｏｄｅＢはランダムアクセス応答(ｒａｎｄｏｍ ａｃｃｅｓｓ ｒｅｓｐｏｎｓｅ、ＲＡＲ)をＵＥに送る。ランダムアクセス応答は２段階で検出される。まず、ＵＥはＲＡ−ＲＮＴＩ(ｒａｎｄｏｍ ａｃｃｅｓｓ−ＲＮＴＩ)でマスキングされたＰＤＣＣＨを検出する。ＵＥは検出されたＰＤＣＣＨによって指示されるＰＤＳＣＨ上でＭＡＣ(Ｍｅｄｉｕｍ Ａｃｃｅｓｓ Ｃｏｎｔｒｏｌ)ＰＤＵ(Ｐｒｏｔｏｃｏｌ Ｄａｔａ Ｕｎｉｔ)内のランダムアクセス応答を受信する。
【００８５】
図６は無線リソース制御(ＲＲＣ)階層での連結過程を示す。
【００８６】
図６に示したように、ＲＲＣ連結可否によってＲＲＣ状態が示されている。ＲＲＣ状態とはＵＥのＲＲＣ階層のエンティティ(ｅｎｔｉｔｙ)がｅＮｏｄｅＢのＲＲＣ階層のエンティティと論理的連結(ｌｏｇｉｃａｌ ｃｏｎｎｅｃｔｉｏｎ)をなしているか否かを言い、連結されている場合はＲＲＣ連結状態(ｃｏｎｎｅｃｔｅｄ ｓｔａｔｅ)と言い、連結されていない状態をＲＲＣ遊休モード(ｉｄｌｅ ｓｔａｔｅ)と言う。
【００８７】
連結状態(Ｃｏｎｎｅｃｔｅｄ ｓｔａｔｅ)のＵＥはＲＲＣ連結(ｃｏｎｎｅｃｔｉｏｎ)が存在するから、Ｅ−ＵＴＲＡＮは該当端末の存在をセル単位で把握することができ、よってＵＥを効果的に制御することができる。一方、遊休モード(ｉｄｌｅ ｓｔａｔｅ)のＵＥはｅＮｏｄｅＢが把握することはできなく、セルより大きな地域単位であるトラッキング地域(Ｔｒａｃｋｉｎｇ Ａｒｅａ)単位で核心網(Ｃｏｒｅ Ｎｅｔｗｏｒｋ)が管理する。トラッキング地域(Ｔｒａｃｋｉｎｇ Ａｒｅａ)はセルの集合単位である。即ち、遊休モード(ｉｄｌｅ ｓｔａｔｅ)ＵＥは大きな地域単位で存在有無のみ把握され、音声やデータのような通常の移動通信サービスを受けるためには、端末は連結状態(ｃｏｎｎｅｃｔｅｄ ｓｔａｔｅ)に遷移しなければならない。
【００８８】
使用者がＵＥの電源を最初に入れたとき、ＵＥは先に適切なセルを探索した後、該当セルで遊休モード(ｉｄｌｅ ｓｔａｔｅ)で留まる。遊休モード(ｉｄｌｅ ｓｔａｔｅ)で留まっていたＵＥはＲＲＣ連結をなす必要があるときに初めてＲＲＣ連結過程(ＲＲＣ ｃｏｎｎｅｃｔｉｏｎ ｐｒｏｃｅｄｕｒｅ)によってｅＮｏｄｅＢのＲＲＣ階層とのＲＲＣ連結をなし、ＲＲＣ連結状態(ｃｏｎｎｅｃｔｅｄ ｓｔａｔｅ)に遷移する。
【００８９】
遊休モード(Ｉｄｌｅ ｓｔａｔｅ)にあったＵＥがＲＲＣ連結をなす必要がある場合はいろいろがある。例えば、使用者の通話試み、データ伝送、又はＥＵＴＲＡＮからページングメッセージを受信した後、これに対する応答メッセージの伝送を挙げることができる。
【００９０】
遊休モード(ｉｄｌｅ ｓｔａｔｅ)のＵＥがｅＮｏｄｅＢとＲＲＣ連結をなすためには、前述したようにＲＲＣ連結過程(ＲＲＣ ｃｏｎｎｅｃｔｉｏｎ ｐｒｏｃｅｄｕｒｅ)を進行しなければならない。ＲＲＣ連結過程は、大別して、ＵＥがｅＮｏｄｅＢにＲＲＣ連結要求(ＲＲＣ ｃｏｎｎｅｃｔｉｏｎ ｒｅｑｕｅｓｔ)メッセージを送信する過程、ｅＮｏｄｅＢがＵＥにＲＲＣ連結設定(ＲＲＣ ｃｏｎｎｅｃｔｉｏｎ ｓｅｔｕｐ)メッセージを送信する過程、及びＵＥがｅＮｏｄｅＢにＲＲＣ連結設定完了(ＲＲＣ ｃｏｎｎｅｃｔｉｏｎ ｓｅｔｕｐ ｃｏｍｐｌｅｔｅ)メッセージを送信する過程を含む。このような過程について図６を参照してより詳細に説明すると次のようである。
【００９１】
１)遊休モード(Ｉｄｌｅ ｓｔａｔｅ)のＵＥは、通話試み、データ伝送試み、又はｅＮｏｄｅＢのページングに対する応答などの理由でＲＲＣ連結をなそうとする場合、まずＲＲＣ連結要求(ＲＲＣ ｃｏｎｎｅｃｔｉｏｎ ｒｅｑｕｅｓｔ)メッセージをｅＮｏｄｅＢに送信する。
【００９２】
２)ＵＥからＲＲＣ連結要求メッセージを受信すれば、ｅＮＢは、無線リソースが十分な場合、ＵＥのＲＲＣ連結要求を受諾し、応答メッセージであるＲＲＣ連結設定(ＲＲＣ ｃｏｎｎｅｃｔｉｏｎ ｓｅｔｕｐ)メッセージをＵＥに送信する。
【００９３】
３)ＵＥがＲＲＣ連結設定メッセージを受信すれば、ｅＮｏｄｅＢにＲＲＣ連結設定完了(ＲＲＣ ｃｏｎｎｅｃｔｉｏｎ ｓｅｔｕｐ ｃｏｍｐｌｅｔｅ)メッセージを送信する。ＵＥがＲＲＣ連結設定メッセージを成功的に送信すれば、初めてＵＥはｅＮｏｄｅＢとｍｐＲＲＣ連結をなし、ＲＲＣ連結モードに遷移する。
【００９４】
従来のＥＰＣにおけるＭＭＥは、次世代システム(又は５Ｇ ＣＮ(Ｃｏｒｅ ｎｅｔｗｏｒｋ))ではＡＭＦ(Ｃｏｒｅ Ａｃｃｅｓｓ ａｎｄ Ｍｏｂｉｌｉｔｙ Ｍａｎａｇｅｍｅｎｔ Ｆｕｎｃｔｉｏｎ)とＳＭＦ(Ｓｅｓｓｉｏｎ Ｍａｎａｇｅｍｅｎｔ Ｆｕｎｃｔｉｏｎ)に分離された。よって、ＵＥとのＮＡＳ ｉｎｔｅｒａｃｔｉｏｎ及びＭＭ(Ｍｏｂｉｌｉｔｙ Ｍａｎａｇｅｍｅｎｔ)はＡＭＦが、またＳＭ(Ｓｅｓｓｉｏｎ Ｍａｎａｇｅｍｅｎｔ)はＳＭＦが行った。ＳＭＦはｕｓｅｒ−ｐｌａｎｅ機能を有する、即ちｕｓｅｒ ｔｒａｆｆｉｃをルーティングするｇａｔｅｗａｙであるＵＰＦ(Ｕｓｅｒ Ｐｌａｎｅ Ｆｕｎｃｔｉｏｎ)を管理するが、これは従来のＥＰＣにおいてＳ−ＧＷとＰ−ＧＷのｃｏｎｔｒｏｌ−ｐｌａｎｅ部分をＳＭＦが担当し、ｕｓｅｒ−ｐｌａｎｅ部分はＵＰＦが担当することと見なすことができる。Ｕｓｅｒ ｔｒａｆｆｉｃのルーティングのためにＲＡＮとＤＮ(Ｄａｔａ Ｎｅｔｗｏｒｋ)の間にＵＰＦが１つ以上存在できる。即ち、従来のＥＰＣは５Ｇにおいて図７に示したように構成される。また、従来のＥＰＳにおけるＰＤＮ ｃｏｎｎｅｃｔｉｏｎに対応する概念として、５Ｇ ＳｙｓｔｅｍではＰＤＵ(Ｐｒｏｔｏｃｏｌ Ｄａｔａ Ｕｎｉｔ) ｓｅｓｓｉｏｎが定義されている。ＰＤＵセッション(ＰＤＵ ｓｅｓｓｉｏｎ)はＩＰ ｔｙｐｅだけではなく、Ｅｔｈｅｒｎｅｔ ｔｙｐｅ又はｕｎｓｔｒｕｃｔｕｒｅｄ ｔｙｐｅのＰＤＵ ｃｏｎｎｅｃｔｉｖｉｔｙ ｓｅｒｖｉｃｅを提供するＵＥとＤＮの間のａｓｓｏｃｉａｔｉｏｎを言う。なお、ＵＤＭ(Ｕｎｉｆｉｅｄ Ｄａｔａ Ｍａｎａｇｅｍｅｎｔ)はＥＰＣのＨＳＳに対応する機能を行い、ＰＣＦ(Ｐｏｌｉｃｙ Ｃｏｎｔｒｏｌ Ｆｕｎｃｔｉｏｎ)はＥＰＣのＰＣＲＦに対応する機能を行う。勿論、５Ｇ Ｓｙｓｔｅｍの要求事項を満たすために、その機能が拡張された形態で提供されることもできる。Ｎ１は５Ｇ ＵＥとＡＭＦの間の制御平面に対するｒｅｆｅｒｅｎｃｅ ｐｏｉｎｔであり、Ｎ２は５Ｇ(Ｒ)ＡＮとＡＭＦの間の制御平面に対するｒｅｆｅｒｅｎｃｅ ｐｏｉｎｔであり、Ｎ３は５Ｇ(Ｒ)ＡＮとＵＰＦの間のユーザ平面のｒｅｆｅｒｅｎｃｅ ｐｏｉｎｔである。またＮ４はＳＭＦとＵＰＦの間のｒｅｆｅｒｅｎｃｅ ｐｏｉｎｔであり、Ｎ５はｐｃｆ機能と応用機能の間のｒｅｆｅｒｅｎｃｅ ｐｏｉｎｔであり、Ｎ６はＵＰＦとデータネットワークの間のｒｅｆｅｒｅｎｃｅ ｐｏｉｎｔである。データネットワークは運営者外部公開、個人データネットワーク又は運営者データネットワークである。Ｎ７はＳＭＦとＰＣＦの間のｒｅｆｅｒｅｎｃｅ ｐｏｉｎｔである。５Ｇ Ｓｙｓｔｅｍ ａｒｃｈｉｔｅｃｔｕｒｅ、各ｆｕｎｃｔｉｏｎ、各ｉｎｔｅｒｆａｃｅに関する詳しい事項はＴＳ ２３．５０１を準用する。特に、５Ｇシステム(即ち、ｎｅｘｔ ｇｅｎｅｒａｔｉｏｎ ｓｙｓｔｅｍ)は、ｎｏｎ−３ＧＰＰ Ａｃｃｅｓｓも支援する必要があり、よってＴＳ ２３．５０１Ｖ０．２.０の４．２．７にはｎｏｎ−３ＧＰＰ Ａｃｃｅｓｓを支援するためのアーキテクチャー、ネットワーク要素などの内容が記載されている。Ｎｏｎ−３ＧＰＰ接続の例としては、代表的にＷＬＡＮ接続があり、これはｔｒｕｓｔｅｄ ＷＬＡＮとｕｎｔｒｕｓｔｅｄ ＷＬＡＮを全て含む。
【００９５】
現在５ＧシステムはＴＳ ２３.５０１及びＴＳ ２３.５０２に作業されている。特に５Ｇシステム(即ち、次世代システム)はＩＭＳサービスを支援する必要があり、よってＴＳ ２３.５０１ｖ０.４.０の５.１６.３節、ＩＭＳ ｓｕｐｐｏｒｔ、５.１６.４節には緊急サービス(Ｅｍｅｒｇｅｎｃｙ ｓｅｒｖｉｃｅｓ)に関する内容が記載されている。また、ＴＳ ２３.５０１ｖ０.４.０の"Ａｎｎｅｘ Ｄ(ｉｎｆｏｒｍａｔｉｖｅ):ＩＭＳ ｓｐｅｃｉｆｉｃ ｐｌａｃｅｈｏｌｄｅｒ ｆｏｒ ＴＳ ２３.２２８[１５]"にはＩＭＳに関連して今後ＴＳ ２３.２２８にキャプチャーする内容が整理されている。
【００９６】
５Ｇシステムでは、交通開放(ｔｒａｆｆｉｃ ｏｆｆｌｏａｄｉｎｇ)又はサービス継続性(ｓｅｒｖｉｃｅ ｃｏｎｔｉｎｕｉｔｙ)のために、１つのＰＤＵセッションに対して多数のＰＳＡ(ＰＤＵ ｓｅｓｓｉｏｎ ａｎｃｈｏｒ)により交通をルーティング(ｒｏｕｔｉｎｇ)することができる。これに関する詳しい事項はＴＳ ２３.５０１ｖ０.４.０の５.６.４節を参考でき、表２及び表３にその内容が抜粋されている。表２及び表３において、Ｆｉｇｕｒｅ ５.６.４.２−１、Ｆｉｇｕｒｅ ５.６.４.３−１、Ｆｉｇｕｒｅ ５.６.４.３−２は、図８、図９及び図１０に各々示されている。
【００９７】
【表２−１】
0006825143.tif 000004
【００９８】
【表２−２】
0006825143.tif 000005
【００９９】
【表３−１】
0006825143.tif 000006
【０１００】
【表３−２】
0006825143.tif 000007
【０１０１】
また、１つのＰＤＵセッションに対して多数のＰＳＡにより交通をルーティングするために、ＰＤＵセッションの交通がルーティングされる経路に分岐点(Ｂｒａｎｃｈｉｎｇ Ｐｏｉｎｔ)又はＵＬ ＣＬを追加する手順については、ＴＳ ２３.５０２ｖ０.３.０の４.３.５.２ａ節を参考でき、表４に関連内容が抜粋されている。表４のＦｉｇｕｒｅ ４.３.５.２a−１は図１１に示されている。ここで、ｓｔｅｐ１でＰＤＵセッシ交換する(詳しい事項はＴＳ ２３.５０２ｖ０.３.０の４.３.２節(ＰＤＵセッション確立)を参考)。その後、ＵＥにｍｕｌｔｉ−ｈｏｍｉｎｇ方式で新しいＩＰアドレス(ｎｅｗ ＩＰ ａｄｄｒｅｓｓ)が割り当てられる場合、ｓｔｅｐ７のように使用者平面(ｕｓｅｒ ｐｌａｎｅ)を介して送信されるＩＰｖ６ Ｒｏｕｔｅｒ Ａｄｖｅｒｔｉｓｅｍｅｎｔ ｍｅｓｓａｇｅによりＩＰ ｐｒｅｆｉｘ情報が得られる。よって、ＵＥと５Ｇコアネットワークの間には更なるＮＡＳメッセージ交換がない。参考として、ＵＥはｍｕｌｔｉ−ｈｏｍｉｎｇ方式で新しいＩＰアドレス情報が割り当てられた時、ｏｌｄ／ｏｒｉｇｉｎａｌ ＩＰアドレスに対してｖａｌｉｄ ｌｉｆｅｔｉｍｅ ｖａｌｕｅが提供されないと(又はｏｌｄ／ｏｒｉｇｉｎａｌ ＩＰアドレスに対してｒｅ−Ｃｏｎｆｉｇｕｒａｔｉｏｎ情報／ルーティングルールが提供されると)、分岐点が追加されるものとみなす。
【０１０２】
【表４】
0006825143.tif 000008
【０１０３】
また１つのＰＤＵセッションにＰＤＵセッションの交通がルーティングされる経路に分岐点又はＵＬ ＣＬを追加した後、除去する手順については、ＴＳ ２３.５０２ｖ０.３.０の４.３.５.２ｂ節を参考でき、以下の表５に抜粋されている。表５においてＦｉｇｕｒｅ ４.３.５.２ｂ−１は図１２に示されている。
【０１０４】
【表５】
0006825143.tif 000009
【０１０５】
図１３にはＩＭＳ登録(ＩＭＳ ｒｅｇｉｓｔｒａｔｉｏｎ)の手順が示されている。これに関する詳しい事項はＴＳ ２３.２２８の５.２節(Ａｐｐｌｉｃａｔｉｏｎ ｌｅｖｅｌ ｒｅｇｉｓｔｒａｔｉｏｎ ｐｒｏｃｅｄｕｒｅｓ)を参考できる。
【０１０６】
以下、ＰＤＵセッションに対してｍｕｌｔｉ−ｈｏｍｉｎｇ方式でＰＳＡ及び／又はＢＰ(分岐点)が追加される場合又は除去される場合に、本発明の実施例によるＵＥ、ネットワークノードなどの動作について説明する。
【０１０７】
本発明では、多数の(ｍｕｌｔｉｐｌｅ)ＰＤＵセッションアンカーを有する単一ＰＤＵセッションにおいて、ｍｕｌｔｉ−ｈｏｍｉｎｇ方式である場合について記載するが、ＰＤＵセッション方式のためのＵＬ分類器(ＵＬ Ｃｌａｓｓｉｆｉｅｒ)の場合にも、拡張／変形を適用することができる。この場合、ＰＤＵセッションに対してｍｕｌｔｉ−ｈｏｍｉｎｇ方式でＢＰ(分岐点)が追加される場合は、ＰＤＵセッションに対してＵＬ分類器が追加される場合と解釈し、ＰＤＵセッションに対してｍｕｌｔｉ−ｈｏｍｉｎｇ方式でＢＰ(分岐点)が除去される場合は、ＰＤＵセッションに対してＵＬ分類器が除去される場合と解釈する。また、ＩＭＳ ＤＮＮ(さらには、同じＳ−ＮＳＳＡＩ：Ｓｉｎｇｌｅ Ｎｅｔｗｏｒｋ Ｓｌｉｃｅ Ｓｅｌｅｃｔｉｏｎ Ａｓｓｉｓｔａｎｃｅ Ｉｎｆｏｒｍａｔｉｏｎ)に対するＰＤＵセッションが多数生成される場合にも拡張／変形を適用することができる。この場合、ＰＤＵセッションに対してｍｕｌｔｉ−ｈｏｍｉｎｇ方式でＢＰ(分岐点)が追加される場合は、ＩＭＳ ＤＮＮ(さらには、同じＳ−ＮＳＳＡＩ)に対するＰＤＵセッションがさらに生成される場合と解釈し、ＰＤＵセッションに対してｍｕｌｔｉ−ｈｏｍｉｎｇ方式でＢＰ(分岐点)が除去される場合は、ＩＭＳ ＤＮＮ(さらには、同じＳ−ＮＳＳＡＩ)に対して多数のＰＤＵセッションのうちの１つが除去される場合と解釈し、分岐されるＰＤＵセッションは新しく生成されるＰＤＵセッションと解釈する。
【０１０８】
ｍｕｌｔｉ−ｈｏｍｉｎｇ方式でＰＳＡが追加される場合
【０１０９】
ＵＥは第１ＰＳＡ(ｐｒｏｔｏｃｏｌ ｄａｔａ ｕｎｉｔ ｓｅｓｓｉｏｎ ａｎｃｈｏｒ)とＰＤＵ(ｐｒｏｔｏｃｏｌ ｄａｔａ ｕｎｉｔ)セッションを確立して、ＳＭＦ(Ｓｅｓｓｉｏｎ Ｍａｎａｇｅｍｅｎｔ Ｆｕｎｃｔｉｏｎ)から新しいＩＰアドレス(新しいＩＰｖ４住所（アドレス）、新しいＩＰｖ６ ｐｒｅｆｉｘ又は新しいＩＰｖ６住所（アドレス）である)を受信する。従来技術である既存のＬＴＥ標準によれば、ＩＭＳ ＰＤＮ ｃｏｎｎｅｃｔｉｏｎについて新しいＩＰアドレスを受信する場合、図１３に示されたＩＭＳ登録の手順を行うようになっている。しかし、上記受信された新しいＩＰアドレスがｍｕｌｔｉ−ｈｏｍｉｎｇ基盤のＰＳＡ追加に関連する場合には、該ＵＥは新しいＩＰアドレスを使用したＩＭＳ登録を行わないことができる。上記受信された新しいＩＰアドレスがｍｕｌｔｉ−ｈｏｍｉｎｇ基盤のＰＳＡ追加に関連する場合には、新しいＩＰアドレスは追加された第２ＰＳＡ(ｌｏｃａｌｉｚｅｄ ＵＰＦ)へのＩＭＳメディアルーティング(図１４における新しいＩＰアドレス経路を用いたＩＭＳメディア)に使用されることができる。図１５に詳しく示すが、第１ＰＳＡとＰＤＵセッションを確立したＵＥは第１ＰＳＡからＩＰｖ６住所（アドレス）を受信し、それを使用してＩＭＳ網に登録する。即ち、既にＩＭＳ網に登録されているが、ｍｕｌｔｉ−ｈｏｍｉｎｇ方式で多数のＰＳＡを有する場合、新しいＩＰアドレスを受信する度にＩＭＳ網に登録することは非常に非効率的であるためである。 
【０１１０】
ＩＰアドレスが新しく割り当てられると、ＵＥのＮＡＳ層(ＮＡＳ ｌａｙｅｒ)はこれをＩＭＳ層(ＮＡＳ層の立場では上位層)に伝達する。この時、受信された新しいＩＰアドレスがｍｕｌｔｉ−ｈｏｍｉｎｇ基盤のＰＳＡ追加に関連する場合、ＵＥのＮＡＳ層は上位層に新しいＩＰアドレスがＩＭＳメディアルーティングのためのものであることを指示する情報を提供する。又は、受信された新しいＩＰアドレスがｍｕｌｔｉ−ｈｏｍｉｎｇ基盤のＰＳＡ追加に関連する場合、ＵＥのＮＡＳ層は上位層に新しいＩＰアドレスがＩＭＳメディアのみのためのものであることを指示する情報を提供する。ここで、上位層はＩＭＳ層を意味し、第１ＰＳＡはＵＰＦである。言い換えれば、ＩＭＳ登録を行わないが、ＩＰアドレスが新しく割り当てられると、ＵＥのＮＡＳ層はこれをＩＭＳ層(ＮＡＳ層の立場では上位層)に伝達する。この時、ＵＥのＮＡＳ層はＩＭＳ層にこのＩＰアドレスがＩＭＳ登録のためのものではないこと(又はこのＩＰアドレスではＩＭＳ登録をしないこと又はこのＩＰアドレスではＩＭＳ登録を省略すること)を示す情報、このＩＰアドレスはＳＩＰ／ＩＭＳシグナリングのためのものではないこと(又はこのＩＰアドレスはＳＩＰ／ＩＭＳシグナリングルーティングには使用しないこと)を示す情報、及びこのＩＰアドレスはメディア／ＩＭＳサービスのためのものであること(又はメディア／ＩＭＳサービスのルーティング用であること)を示す情報のうちのいずれか１つ以上を共に提供することができる。
【０１１１】
ＵＥはＳＩＰ／ＩＭＳ信号又はＳＩＰ方法のルーティング(送受信)のためのＩＰアドレスとしては、ＩＭＳ登録したＩＰアドレスを使用し、メディア／ＩＭＳサービスのルーティング(送受信)のためのＩＰアドレスとしては、(これはＳＤＰ(Ｓｅｓｓｉｏｎ Ｄｅｓｃｒｉｐｔｉｏｎ Ｐｒｏｔｏｃｏｌ)部分に含まれることができる)ＩＭＳ登録したＩＰアドレスと新しく割り当てられたＩＰアドレスを使用することができる。
【０１１２】
ＵＥが新しく割り当てられたＩＰアドレスがあるが、ＩＭＳ登録を行わない動作は、ＳＭＦから提供された情報及び／又はＵＥに設定された情報(例えば、ｍｕｌｔｉ−ｈｏｍｉｎｇ方式でＢＰが追加されてＩＰアドレスがさらに割り当てられると、この時にはＩＭＳ登録を行わないように設定されるなど)及び／又はＳＭＦ以外の他のネットワーク機能(ｆｕｎｃｔｉｏｎ)(例えば、ＡＭＦ、政策関連機能、ＩＭＳノードなど)から提供された情報に基づくことができる。
【０１１３】
以下、図１５を参照しながら、上述したｍｕｌｔｉ−ｈｏｍｉｎｇ方式でＰＳＡが追加される場合にＵＥとその他のネットワーク機能の動作、シグナリングについて詳しく説明する。
【０１１４】
図１５を参照すると、段階Ｓ１５０１〜１５０３において、ＵＥはＩＭＳのためのＰＤＵセッションを生成するために、ＡＭＦにＰＤＵセッション確立要請メッセージを送信する。これを受信したＡＭＦはＰＤＵセッション生成作業を行い、その結果、ＵＥにＰＤＵセッション確立承諾メッセージを送信する。ＰＤＵセッションのためのＰＳＡ(ＰＤＵセッションアンカー)としてＵＰＦ＃２が選択されると仮定する。また、ＡＮ(ａｃｃｅｓｓ Ｎｅｔｗｏｒｋ)とＮ３トンネルを形成するＵＰＦはＵＰＦ＃１であると仮定する。ＵＥは５ＧＳに登録したＵＥである。
【０１１５】
段階Ｓ１５０４において、ＰＤＵセッションをサービングするＳＭＦがＵＥにＩＰｖ６住所(アドレス)を設定するためにＩＰｖ６ルーター通知メッセージを生成してこれをＵＰＦを介してＵＥに送信する。
【０１１６】
段階Ｓ１５０１〜１５０４におけるＰＤＵセッション生成手順に関する詳しい事項はＴＳ ２３.５０２を準用する。
【０１１７】
段階Ｓ１５０５〜Ｓ１５０６において、ＵＥはＩＭＳ ＰＤＵセッションを生成して新しいＩＰアドレスを得、ＩＭＳ登録を行うことを決定する。これは、以下の表６の条件のうち、いずれか１つ以上を満たす場合に、ＩＭＳ登録を決定したことである。
【０１１８】
【表６】
0006825143.tif 000010
【０１１９】
しかし、上記ｉｔｅｍ １を除いた条件を満たす場合にも、ＩＭＳ登録を決定することができる。又はＵＥがＩＭＳサービスを受けるために、上記条件の一部を満たす場合又は上記条件とは関係なくＩＭＳ登録を決定することもできる。
【０１２０】
ＩＭＳ登録を決定したＵＥはＩＭＳへの登録を行う。ＵＥがＰ−ＣＳＣＦに送信するＳＩＰ登録メッセージの例は以下の表７の通りであり、ＵＥはＩＰアドレスをコンタクトヘッダーフィールド(ｃｏｎｔａｃｔ ｈｅａｄｅｒ ｆｉｅｌｄ)を介して(以下の例では５５５５::ａａａ:ｂｂｂ:ｃｃｃ:ｄｄｄ)ＩＭＳに提供する。
【０１２１】
【表７】
0006825143.tif 000011
【０１２２】
ＩＭＳ登録に関する詳しい事項は、ＴＳ ２３.２２８及びＴＳ ２４.２２９を参考する。
【０１２３】
段階Ｓ１５０７〜Ｓ１５０８において、ＵＥはＩＭＳセッションを開始するために、Ｐ−ＣＳＣＦにＳＩＰ招待(ＩＮＶＩＴＥ)メッセージを送信する。これを受信したＩＭＳはＩＭＳセッションの相対ＵＥとのセッション設定を行い、ＵＥがＳＩＰ ２００ＯＫを受けることによりＩＭＳセッションが生成される。
【０１２４】
ＵＥがＰ−ＣＳＣＦに送信するＳＩＰ招待メッセージの例は以下の通りである。ここで、ＵＥは、ＳＩＰシグナリング交換に使用するＩＰアドレス(Ｖｉａ及びコンタクトヘッダーフィールドにおけるＩＰアドレスであって、以下の例では５５５５::ａａａ:ｂｂｂ:ｃｃｃ:ｄｄｄ)、及びＩＭＳメディア交換に使用するＩＰアドレス(ＳＤＰ(Ｓｅｓｓｉｏｎ Ｄｅｓｃｒｉｐｔｉｏｎ Ｐｒｏｔｏｃｏｌ)部分、即ち、Ｃｏｎｔｅｎｔ−Ｌｅｎｇｔｈヘッダーフィールド以下のＩＰアドレスであって、以下の表８の例では５５５５::ａａａ:ｂｂｂ:ｃｃｃ:ｄｄｄ)として、上記段階Ｓ１５０４で得たＩＰアドレスを使用する。
【０１２５】
【表８】
0006825143.tif 000012
【０１２６】
ＩＭＳセッション生成に関する詳しい事項は、ＴＳ ２３.２２８及びＴＳ ２４.２２９を参考できる。
【０１２７】
ＩＭＳセッションが生成されることにより、ＵＥはセッションの相対とメディアを交換することができる。例えば、ＵＥが音声電話(ｖｏｉｃｅ ｃａｌｌ)を開始した場合、このためのＩＭＳセッションが相対ＵＥと生成されると、ＵＥは相対ＵＥと音声を交換することができ、この時、この音声メディア(又はオーディオメディア)はセッションの生成時にＳＤＰ部分に設定されたＩＰアドレスにより送受信される。
【０１２８】
段階Ｓ１５０９において、ＳＭＦがＩＭＳ ＰＤＵセッションに対して新しいＰＳＡを設定することを決定する。これは様々な理由があるが、例えば、ＵＥの移動、新しいＩＰフローの発見などである。
【０１２９】
段階Ｓ１５１０において、ＳＭＦはｍｕｌｔｉ−ｈｏｍｉｎｇ方式でＰＳＡの追加を決定し、ＵＰＦ＃３更なるＰＳＡで選択する。また、ＵＰＦ＃１を分岐点として設定するための作業を行う。これに関する事項は上述したＴＳ ２３.５０２の４.３.５.２ａ節及び図１１を参考できる。
【０１３０】
段階Ｓ１５１１において、ＳＭＦはＵＥに新しいＩＰ ｐｒｅｆｉｘ＠ＰＳＡ２の可用性を知らせる。これはＳＭＦがＵＰＦによりＵＥにＩＰｖ６ Ｒｏｕｔｅｒ Ａｄｖｅｒｔｉｓｅｍｅｎｔメッセージを送信することを意味する。ＵＥは新しいＩＰアドレスを得る。ＵＥのＮＡＳ層が、上述したように、このＩＰアドレスはメディア／ＩＭＳサービスのためのものであること(又はメディア／ＩＭＳサービスのルーティング用であること)を示す情報をＩＭＳ層に提供する。かかる情報は新しいＩＰアドレスと共にＩＭＳ層に提供されることを意味する。
【０１３１】
ＵＥは新しく得たＩＰアドレスを用いてＩＭＳ登録を行うか否かを確認するが、上記のように新しいＩＰアドレスがメディア／ＩＭＳサービスのためのものであることを示す情報が下位層から提供されるので、ＩＭＳ登録を行わないと決定する。これは上記段階Ｓ１５０５に記載した条件を確認した結果、それを、特にｉｔｅｍ８を満たさないので、ＩＭＳ登録を行わないことである。とにかく音声だけではなく、様々なメディア／コンテンツ(例えば、ＶＲ／ＡＲなど)のためにＩＭＳを使用できるので、上記段階Ｓ１５０５に記載したＩＭＳ登録の決定時に確認する条件は適切に変形、拡張することができる。
【０１３２】
段階Ｓ１５１２〜Ｓ１５１３において、ＵＥはＩＭＳセッションを開始するためにＰ−ＣＳＣＦにＳＩＰ招待メッセージを送信する。これを受信したＩＭＳはＩＭＳセッションの相対ＵＥとのセッション設定を行い、ＵＥがＳＩＰ ２００ＯＫを受けることによりＩＭＳセッションが生成される。ＵＥがＰ−ＣＳＣＦに送信するＳＩＰ招待メッセージの例は以下の通りである。ここで、ＵＥはＳＩＰシグナリングの交換に使用するＩＰアドレスの場合、段階Ｓ１５０４で得たＩＰアドレスを使用する(Ｖｉａ及びコンタクトヘッダーフィールドにおけるＩＰアドレスであって、以下の表９の例では５５５５::ａａａ:ｂｂｂ:ｃｃｃ:ｄｄｄ)。反面、ＩＭＳメディアの交換に使用するＩＰアドレスとしては、上記段階Ｓ１５１１で得たＩＰアドレスを使用する(ＳＤＰ部分、即ち、Ｃｏｎｔｅｎｔ−Ｌｅｎｇｔｈヘッダーフィールド以下のＩＰアドレスであって、以下の例では５５５５::ｅｅｅ:ｆｆｆ:ｇｇｇ:ｈｈｈ)。
【０１３３】
【表９】
0006825143.tif 000013
【０１３４】
即ち、ＵＥはＩＭＳセッションを生成するためのＳＩＰシグナリング送信／受信にはＩＭＳ ＰＤＵセッションの生成時に得たＩＰアドレスを続けて使用する反面、メディアを送信／受信するためには、新しく得たＩＰアドレスを使用する。図１５において、段階Ｓ１５０５〜Ｓ１５０８、Ｓ１５１２〜Ｓ１５１３において、ＳＩＰシグナリングが通るＵＰＦがマーキングされているが、Ｓ１５１１でＵＥが新しいＩＰアドレスを得ることとは関係なく、いずれも同様にＵＰＦ＃１、ＵＰＦ＃２を通ることが分かる。
【０１３５】
次に表１０〜表１３は上述した内容に関連して本発明の発明者が提出された文書であり、‘２.Ｐｒｏｐｏｓａｌ’以後の部分は本発明で提案する一実施例である。表１０の内容のうち、Ｆｉｇｕｒｅ １、Ｆｉｇｕｒｅ ２、Ｆｉｇｕｒｅ ４.３.５.４−１、Ｆｉｇｕｒｅ ６.Ｙ.１−１は図１６、図１７、図１８及び図１９に示されている。
【０１３６】
【表１０−１】
0006825143.tif 000014
【０１３７】
【表１０−２】
0006825143.tif 000015
【０１３８】
【表１１】
0006825143.tif 000016
【０１３９】
【表１２】
0006825143.tif 000017
【０１４０】
一方、ＰＤＵセッションについてｍｕｌｔｉ−ｈｏｍｉｎｇ方式でＢＰ(分岐点)が追加される場合、ＳＭＦの動作は以下の通りである。Ｐ−ＣＳＣＦ住所(アドレス)情報の提供に関連して、以下のＡ)、Ｂ)のうちのいずれか１つで動作する。
【０１４１】
Ａ)ＳＭＦはＵＥにＰ−ＣＳＣＦ住所情報を提供しないことができる。これは無条件であることもでき、ＳＭＦの貯蔵情報(例えば、既にＩＭＳ ＰＤＵセッションを生成しながらＰ−ＣＳＣＦ住所を提供したことを貯蔵している)、ＳＭＦの設定情報(例えば、既にＩＭＳ ＰＤＵセッションを生成しながらＰ−ＣＳＣＦ住所を提供した場合、さらに提供しないように設定されている)、ＳＭＦにＰ−ＣＳＣＦ住所情報がない、及びＳＭＦがＩＭＳ ＰＤＵセッションのために選択可能なＵＰＦがＰ−ＣＳＣＦ／ＩＭＳに連結されていない、のうちのいずれか１つ以上の情報に基づくことができる。
【０１４２】
Ｂ)ＳＭＦはＵＥにＰ−ＣＳＣＦ住所情報を提供する。この場合、ＮＡＳメッセージを使用するか又は新しいＩＰ ｐｒｅｆｉｘを提供する時／前／後に、Ｒｏｕｔｅｒ Ａｄｖｅｒｔｉｓｅｍｅｎｔメカニズムを使用して提供することができる。これは無条件であることもでき、ＳＭＦの設定情報(例えば、Ｐ−ＣＳＣＦ住所をさらに提供するように設定されている)、ＳＭＦにＰ−ＣＳＣＦ住所情報がある、及びＳＭＦがＩＭＳ ＰＤＵセッションのために選択可能なＵＰＦがＰ−ＣＳＣＦ／ＩＭＳと連結されている、のうちのいずれか１つ以上の情報に基づくことができる。
【０１４３】
ＵＥのＩＭＳ登録有無に関連して、以下のａ)、ｂ)のうちの１つの情報を明示的又は暗示的に提供することができる。
【０１４４】
ａ)ＳＭＦはＵＥにＩＭＳ登録を行わないように指示する。これは新しいＩＰアドレス情報がＩＭＳ登録用／目的ではないことを示すこととも解釈できる。上記指示情報はｍｕｌｔｉ−ｈｏｍｉｎｇ方式でＢＰ追加時にはＩＭＳ登録を行う必要がないことを明示的又は暗示的に指示することでもある。この場合、この指示情報はＰＤＵセッションが生成される時又は最初のＩＰアドレス情報がＵＥに割り当てられる時にＵＥに提供される。これは無条件であることもでき、ＳＭＦの貯蔵情報(例えば、既にＩＭＳ ＰＤＵセッションを生成しながらＵＥにＩＭＳ登録を行うように指示している)、ＳＭＦの設定情報(例えば、既にＩＭＳ ＰＤＵセッションを生成しながらＩＭＳ登録を指示した場合、さらに指示しないように設定されている)、ＳＭＦにＰ−ＣＳＣＦ住所情報がない、及びＳＭＦがＩＭＳ ＰＤＵセッションのために選択可能なＵＰＦがＰ−ＣＳＣＦ／ＩＭＳと連結されていない、のうちのいずれか１つ以上の情報に基づくことができる。
【０１４５】
ｂ)ＳＭＦはＵＥに新しく割り当てられたＩＰアドレス(これは新しいＩＰ ｐｒｅｆｉｘを用いて生成したＩＰアドレスを意味する)を用いてＩＭＳ登録を行うように指示する。これは新しいＩＰアドレス情報がＩＭＳ登録用／目的であることを示すとも解釈できる。上記指示情報はｍｕｌｔｉ−ｈｏｍｉｎｇ方式でＢＰ追加時にＩＭＳ登録を行う必要があることを明示的又は暗示的に指示することである。この場合、この指示情報はＰＤＵセッションの生成時又は最初のＩＰアドレス情報がＵＥに割り当てられる時にＵＥに提供される。これは無条件であることもでき、ＳＭＦの設定情報(例えば、ＩＭＳ登録をさらに指示するように設定されている)、ＳＭＦにＰ−ＣＳＣＦ住所情報がある、及びＳＭＦがＩＭＳ ＰＤＵセッションのために選択可能なＵＰＦがＰ−ＣＳＣＦ／ＩＭＳと連結されている、のうちのいずれか１つ以上の情報に基づくことができる。
【０１４６】
上記ａ)、ｂ)の情報は様々な方法で提供できる。例えば、ＮＡＳメッセージを使用するか、新しいＩＰ ｐｒｅｆｉｘを提供する時／前／後にＲｏｕｔｅｒ Ａｄｖｅｒｔｉｓｅｍｅｎｔメカニズムを使用して、又は旧ＩＰ ｐｒｅｆｉｘに対してこの情報が正当な(ｖａｌｉｄ)時間を提供するために、Ｒｏｕｔｅｒ Ａｄｖｅｒｔｉｓｅｍｅｎｔメカニズムを使用することができる。また上記ａ)又はｂ)の情報はＵＥに既に設定されていることもできる。
【０１４７】
ＳＭＦがＡ)のように動作することにより、ａ)を提供しなくても、ＵＥをしてａ)で動作するようにすることができる。又はＳＭＦがＢ)のように動作することにより、ｂ)を提供しなくても、ＵＥをしてｂ)で動作するようにすることができる。ａ)及びｂ)が提供されないので、ＵＥは新しいＩＰアドレス情報が提供されてもこれを用いてＩＭＳ登録を行わないことを決定することができる。逆にａ)及びｂ)が提供されないので、ＵＥは新しいＩＰアドレス情報が提供されると、それを用いてＩＭＳ登録を行うことを決定することもできる。
【０１４８】
ＳＭＦがＵＥにＳＩＰシグナリングのためのＱｏＳ情報を提供することにより、ＵＥをしてｂ)で動作するようにすることができる。とにかく、ＵＥをして新しいＰ−ＣＳＣＦにより新しいＩＰアドレスについてＩＭＳ登録を行うためには、ネットワーク(例えば、ＳＭＦ)はＵＥにＳＩＰシグナリングのためのＱｏＳ情報を提供し、新しいＰＳＡに設定される分岐されるＰＤＵセッションがＳＩＰシグナリングを処理するようにＱｏＳを設定する。
【０１４９】
ＵＥが新しく割り当てられたＩＰアドレスを用いてＩＭＳ登録を行う場合、登録方法を指示する情報を以下のうちのいずれか１つで提供することができる。
【０１５０】
ｉ)以前のＩＭＳ登録を維持しながら、さらにＩＭＳ登録を行うように指示することができる。これにより多数のＩＭＳ登録を維持することができる。従来、ＲＡＴ／Ａｃｃｅｓｓ ｔｙｐｅが異なる場合について多数のＩＭＳ登録が可能であったが、本発明によれば、同じＲＡＴ／Ａｃｃｅｓｓ ｔｙｐｅであるにも関わらず、多数のＩＭＳ登録を行うことができる。ここで、ＲＡＴ／Ａｃｃｅｓｓ ｔｙｐｅはＮＲ、Ｅ−ＵＴＲＡＮ、ＷＬＡＮ、Ｎｏｎ−３ＧＰＰなどが可能である。さらに、コアネットワークが５Ｇコアネットワークであることが別に又は含蓄的に定義されることができる。かかるＲＡＴ／Ａｃｃｅｓｓ ｔｙｐｅはＩＭＳ登録時にＩＭＳネットワークに提供されることができる。これは本発明の全般にわたって適用される。
【０１５１】
ii)以前のＩＭＳ登録にさらにＩＰアドレスを追加するためのＩＭＳ登録を行うように指示することもできる。これは既存のどのＲＡＴ／Ａｃｃｅｓｓ ｔｙｐｅに対するＩＭＳ登録に新しいＩＰアドレス(即ち、新しいコンタクト)が追加されたことを知らせるためのものである。これは、ｉ)に対比して、ＩＭＳ登録が同じＲＡＴ／Ａｃｃｅｓｓ ｔｙｐｅに対して多数のコンテキストに維持されるよりは、既存のどのＲＡＴ／Ａｃｃｅｓｓ ｔｙｐｅに対して１つのＩＭＳ登録コンテキストがあり、そこに新しいＩＰアドレスが追加される概念である。
【０１５２】
iii)以前のＩＭＳ登録を維持しないながら、ＩＭＳ登録を行うように指示することができる。これは１つのＲＡＴ／Ａｃｃｅｓｓ ｔｙｐｅに対して１つのＩＭＳ登録のみを維持することである。
【０１５３】
ＵＥが、新しいＩＰアドレスによって旧ＩＰアドレスをリリースする必要があることを認知するか(ＳＭＦが提供したタイマー又はＵＥに設定されたタイマーに基盤)、又は新しいＰＤＵセッションによって旧ＰＤＵセッションをリリースする必要があることを認知した場合(ＳＭＦが提供したタイマー又はＵＥに設定されたタイマーに基盤)、上記i)〜iii)の情報が提供されなくても、iii)のように動作するように決定することもできる。
【０１５４】
ＵＥが生成するＰＤＵセッションがたとえＩＭＳのためのＰＤＵセッションであり、ＤＮＮがＩＭＳ(これは公知のＩＭＳ ＤＮＮと解釈可能)と同一であっても、追加するＩＭＳ ＰＤＵセッションが以前に生成したことに対比してＳ−ＮＳＳＡＩが異なるので、上記i)〜iii)の情報が提供されなくても、i)のように動作するように決定することができる。
【０１５５】
上記i)又はii)のように動作する場合、どのＩＭＳ登録(又はどのコンタクト:これはＵＥがＩＭＳ登録時に使用するＩＰアドレス情報)がメイン(又はプライマリー)であるかは、ネットワーク(ＳＭＦ、ｓ−ＣＳＣＦ、ＩＭＳ Ａｐｐｌｉｃａｔｉｏｎ ＳｅｒｖｅｒのようなＩＭＳ機能など)からＵＥに知らせるか、又はＵＥに設定されていることができる(例えば、ＩＭＳ登録のうちの最古のもの、ＩＭＳ登録のうち最近のもの、ｍｕｌｔｉ−ｈｏｍｉｎｇ方式でＢＰが追加される前に割り当てられたＩＰアドレス情報を用いたＩＭＳ登録、ｍｕｌｔｉ−ｈｏｍｉｎｇ方式でＢＰが追加されながら割り当てられたＩＰアドレス情報を用いたＩＭＳ登録など)。
【０１５６】
一方、ｍｕｌｔｉ−ｈｏｍｉｎｇ方式でＰＳＡが追加される場合にも、ＵＥはＩＭＳ登録を行うことができるが、以下、これについて説明する。ＵＥが新しく割り当てられたＩＰアドレスを用いてＩＭＳ登録を行う動作は、ＳＭＦから提供された情報及び／又はＵＥに設定された情報(例えば、ｍｕｌｔｉ−ｈｏｍｉｎｇ方式でＢＰが追加されてＩＰアドレスがさらに割り当てられると、その時にはＩＭＳ登録を行わないように設定するなど)及び／又はＳＭＦ以外の他のネットワーク機能(例えば、ＡＭＦ、政策関連機能、ＩＭＳノードなど)から提供された情報に基づくことができる。
【０１５７】
新しく割り当てられたＩＰアドレスを用いてＩＭＳ登録を行う。この時、以下のi)〜iii)のうちの１つで動作することができる。ＩＰアドレスが新しく割り当てられると、ＵＥのＮＡＳ層はそれをＩＭＳ層(ＮＡＳ層の立場では上位層)に伝達する。この時、ＵＥのＮＡＳ層はＩＭＳ層に、このＩＰアドレスはＩＭＳ登録のためのものであること(又はこのＩＰアドレスにＩＭＳ登録すること)を示す情報、このＩＰアドレスはＳＩＰ／ＩＭＳシグナリングのためのものであること(又はこのＩＰアドレスはＳＩＰ／ＩＭＳシグナリングルーティングに使用すること)を示す情報、このＩＰアドレスはメディア／ＩＭＳサービスのためのものであること(又はメディア／ＩＭＳサービスのルーティング用である)、このＩＰアドレスはＩＭＳ登録とメディア／ＩＭＳサービスに全て使用すること、このＩＰアドレスはＳＩＰ／ＩＭＳシグナリングとメディア／ＩＭＳサービスに全て使用することを示す情報のうちのいずれか１つ以上を提供することができる。しかし、上記情報を提供しなくても、ＵＥのＩＭＳ層はＮＡＳ層(ＩＭＳ層の立場では下位層)が提供したＩＰアドレスをＩＭＳ関連の全ての動作／運用に使用すると見なすことができる。
【０１５８】
ｉ)以前のＩＭＳ登録を維持しながらさらにＩＭＳ登録を行う。これは上記ＳＭＦがＵＥに提供する新しく割り当てられたＩＰアドレスを用いた登録方法を指示する情報のi)に説明した方式であり、ＩＭＳネットワーク(代表的にはＵＥのＳ−ＣＳＣＦ)は上記i)に記載したように、ＵＥのＩＭＳ登録関連のコンテキストを管理する。
【０１５９】
ii)以前のＩＭＳ登録にさらにＩＰアドレスを追加するためのＩＭＳ登録を行う。これは上記ＳＭＦがＵＥに提供する新しく割り当てられたＩＰアドレスを用いた登録方法を指示する情報のii)に説明した方式であり、ＩＭＳネットワーク(代表的にはＵＥのｓ−ＣＳＣＦ)は上記ii)に記載したように、ＵＥのＩＭＳ登録関連のコンテキストを管理する。
【０１６０】
iii)以前のＩＭＳ登録を維持しないながらＩＭＳ登録を行う。これは上記ＳＭＦがＵＥに提供する新しく割り当てられたＩＰアドレスを用いた登録方法を指示する情報のiii)に説明した方式であり、ＩＭＳネットワーク(代表的にはＵＥのＳ−ＣＳＣＦ)は上記iii)に記載したようにＵＥのＩＭＳ登録関連のコンテキストを管理する。
【０１６１】
ＵＥが以上のようにＩＭＳ登録を行う時、ネットワークからＰ−ＣＳＣＦ住所情報が提供された場合は、このＰ−ＣＳＣＦによりＩＭＳ登録を行い、Ｐ−ＣＳＣＦ住所情報が提供されない場合には、従来のＰ−ＣＳＣＦにより(これは上記ＰＤＵセッションを確立する時に提供されたＰ−ＣＳＣＦ住所情報に基づく)ＩＭＳ登録を行う。
【０１６２】
ＵＥがＩＭＳ登録を行う時、ｍｕｌｔｉ−ｈｏｍｉｎｇ方式で追加されたＰＳＡ関連特性を提供することができる。これは、例えば、ＰＳＡがｌｏｃａｌであることを知らせる情報、ＰＳＡがｃｅｎｔｒａｌであることを知らせる情報などがある。
【０１６３】
ＰＤＵセッションについてｍｕｌｔｉ−ｈｏｍｉｎｇ方式でＢＰ(分岐点)(及び／又はＰＳＡ)が追加された後、ＵＥは以下の[Ａ]〜[Ｃ]のように動作する。
【０１６４】
[Ａ]ＵＥが新しいＩＰアドレスを用いて上記i)又はii)のようにＩＭＳ登録を行った場合、ＵＥが同じＲＡＴ／Ａｃｃｅｓｓ ｔｙｐｅに対してＩＭＳネットワークに多数のコンタクト(＝ＩＰアドレス)を登録したので、どのＳＩＰ方法及び／又はどのメディア及び／又はどのＩＭＳサービス及び／又はどの目的地ＩＰアドレス(これはＵＥとＩＭＳセッションを設定するＩＰアドレス又はＵＥがメディアをやり取るＩＰアドレス)、どの転送プロトコル(これはＴＣＰ、ＵＤＰなど)、どの転送ポート＃(これはソースポート＃であることもでき、目的地ポート＃であることもでき、両方であることもできる)、I)どのコンタクトを使用してＳＩＰ要請を送信するか及び／又はII)どのコンタクトを使用してＳＩＰ要請を受信するかに関するルール又はフィルター情報(これはルーティングルール／フィルター又はステアリングルール(ｓｔｅｅｒｉｎｇ ｒｕｌｅ)／フィルターで表現可能)が必要である。
【０１６５】
上記ルール／フィルター情報はＵＥに設定されていることもでき、ｍｕｌｔｉ−ｈｏｍｉｎｇ方式でＢＰが追加される時点にネットワーク(例えば、ＳＭＦ)から提供されることもでき、ＩＭＳ登録時にＩＭＳ(例えば、ｓ−ＣＳＣＦ)から提供されることもできる。上述したルール／フィルター情報以外にも、I)、II)のために様々な情報を使用できる。
【０１６６】
上記ＳＩＰ ｍｅｔｈｏｄはＳＩＰ ＩＮＶＩＴＥ、ＳＩＰ ＭＥＳＳＡＧＥ、ＳＩＰ ＲＥＦＥＲなどを示す(これは全てのＳＩＰ ｍｅｔｈｏｄになり得る)。上記メディアは音声、ビデオなどを示す(これは従来のＳＤＰに含まれる全てのメディア種類である)。上記ＩＭＳサービスはＩＣＳＩ(ＩＭＳ Ｃｏｍｍｕｎｉｃａｔｉｏｎ Ｓｅｒｖｉｃｅ Ｉｄｅｎｔｉｆｉｅｒ)で示されるサービスであるか、それ以外に又はさらに様々な形態で識別することができる(たとえ、音声電話、ビデオ電話、ＳＭＳなど)。
【０１６７】
上記I)の情報はＵＥがＳＩＰ要請を送信する時に使用でき、II)の情報はＩＭＳネットワークがＵＥに向かうＳＩＰ要請を伝達する時に使用できる。もし、ＩＭＳネットワークがＵＥに向かうＳＩＰ要請を登録されている全てのコンタクトに向かって送信する場合(ＳＩＰ ｆｏｒｋｉｎｇ方式)、ＵＥは上記I)の情報に基づいてＳＩＰ応答をＳＩＰ要請に該当するコンタクトにより送信することができる。
【０１６８】
上記I)及び／又はII)はＩＭＳネットワークに登録された多数のコンタクトのうち、ＳＩＰ要請／応答は無条件１つのコンタクト(これは最初に登録されたコンタクト、最後に登録されたコンタクト、ｃｅｎｔｒａｌ ＰＳＡであるコンタクトなどに設定可能)により送信することもできる。これにより、ＳＩＰ要請／応答の送信には第１コンタクトを使用するが、実際メディアの送信には第２コンタクトを使用することもできる。勿論、ＳＩＰ要請／応答の送信と実際メディアの送信にも第１コンタクトを使用することができる。
【０１６９】
[Ｂ]ＵＥがＩＭＳ登録を行わない場合、ＳＩＰ要請／応答の送信は最初に登録されたコンタクトにより行われ、実際メディアに対する送信は最初の登録だけではなく、その後登録されたコンタクトによっても行える場合に該当する。よって、上記[Ａ]に記載したルール／フィルター情報のうち、ＳＩＰ ｍｅｔｈｏｄに関連するルール／フィルターを除いたルール／フィルターが[Ａ]に記載したように、ＵＥに設定されるか又はＵＥに提供されることができる。ＳＩＰ ｍｅｔｈｏｄに関連するルール／フィルター情報も最初に登録されたコンタクトによりＳＩＰ要請／応答を送信することとＵＥに設定されるか又は提供されることができる。又は、この場合、ＳＩＰ要請／応答の送信は最初に登録されたコンタクトにより行われ、実際メディアに対する送信はその後に登録されたコンタクトにより行われる場合に該当することができる。よって、[Ａ]に記載したように、これを指示するルール／フィルター情報がＵＥに設定されるか又はＵＥに提供されることができる。
【０１７０】
[Ｃ]ＵＥが新しいＩＰアドレスを用いて上記iii)のようにＩＭＳ登録を行うことができるが、この場合、１つのＲＡＴ／Ａｃｃｅｓｓ ｔｙｐｅに対してＩＭＳネットワークと１つのＳＩＰ連結(これはＧｍ連結と解釈可能)を有するので、従来のように動作する。
【０１７１】
もし以前のＩＭＳ登録を維持しないが、そのＩＰアドレスを続けて使用できる場合には、メディア、ＩＭＳサービスに関連して上記[Ａ]に記載したようなルール／フィルター情報がＵＥに設定されるか又はＵＥに提供される。
【０１７２】
ｍｕｌｔｉ−ｈｏｍｉｎｇ方式でＰＳＡが除去される場合
【０１７３】
ＵＥが新しく割り当てられたＩＰアドレスを用いてＩＭＳ登録を行ったが、上記i)又はii)のように動作する場合、ＵＥは使用が中止されたＩＰアドレスに対してＩＭＳネットワークにより登録解除(ｄｅｒｅｇｉｓｔｒａｔｏｉｎ)を行う。よってＩＭＳネットワークは該当ＲＡＴ／Ａｃｃｅｓｓ ｔｙｐｅに対するコンタクトのうち、このＩＰアドレスを除去する。
【０１７４】
ＵＥが新しく割り当てられたＩＰアドレスを用いてＩＭＳ登録を行ったが、上記iii)のように動作する場合は、ＵＥは続けて使用できるＩＰアドレス(即ち、除去されるＰＳＡではない他のＰＳＡへのＩＰアドレス)を用いてＩＭＳ登録を行う。この時のＩＭＳ登録は該当ＲＡＴ／Ａｃｃｅｓｓ ｔｙｐｅに対して既存のコンタクトを代替するＩＭＳ登録を意味する。
【０１７５】
ＰＤＵセッションにおいて、ＢＰ(及び／又はＰＳＡ)の除去後、ＵＥの動作は以下の通りである。
【０１７６】
上記ＵＥがＩＭＳ登録を行う場合には、ＰＤＵセッションに対してｍｕｌｔｉ−ｈｏｍｉｎｇ方式でＢＰ(分岐点)が追加された後、即ち、ＵＥのＩＰアドレスが追加された後、ＵＥがＳＩＰシグナリング、メディアをどのＩＰアドレスに送信するかについてルール／フィルターが提供／適用される方案について説明した。
【０１７７】
一方、ＰＤＵセッションにおいてＢＰが除去されることにより、ＵＥのＩＰアドレスが使用中止(又は削除)されると、ＵＥがＳＩＰシグナリング、メディア、ＩＭＳサービスなどをどのＩＰアドレスに送信するかについてルール／フィルターが必要である。もし、上記ＩＰアドレスが使用中止された後、残りのＩＰアドレスが１つであると、全てのＳＩＰシグナリング、メディア、ＩＭＳサービスなどは上記残りのＩＰアドレスにより送信することができ、これに対するルール／フィルターはＵＥに設定されているか、又はＢＰが除去される時点にネットワーク(例えば、ＳＭＦ)から提供されることもでき、ＩＭＳ登録解除時にＩＭＳ(例えば、ｓ−ＣＳＣＦ)から提供されることもできる。
【０１７８】
もし、ＢＰが除去されるにもかかわらず、使用可能なＩＰアドレスが多数であると、ＵＥがＳＩＰシグナリング、メディア、ＩＭＳサービスなどをどのＩＰアドレスに送信するかについてルール／フィルターを整理する必要があり、この時にはＵＥが登録を行う場合に記載した内容を応用することができる。
【０１７９】
上記ＳＩＰ要請／応答、ＳＩＰ ｍｅｔｈｏｄはＳＩＰシグナリングにより解釈可能である。上記ＰＤＵセッションはＤＮＮがＩＭＳ(又は公知のＩＭＳ又はＩＭＳ用又はＩＭＳ網に連結可能)であるＰＤＵセッションと解釈されることができ、スライス(ｓｌｉｃｉｎｇ)概念のある場合は、ＤＮＮがＩＭＳであり、Ｓ−ＮＳＳＡＩに区分可能なＰＤＵセッションと解釈されることもできる。例えば、Ｓ−ＮＳＳＡＩ♯１＝ｓｌｉｃｅ♯１を示し、Ｓ−ＮＳＳＡＩ♯２＝ｓｌｉｃｅ♯２を示すと、ＩＭＳ ＰＤＵセッションがｓｌｉｃｅ♯１に該当するスライスとも生成され、ｓｌｉｃｅ♯２に該当するスライスとも生成されることができるが、この時、互いに異なるスライスで生成されたＰＤＵセッションは両方ともＩＭＳ ＰＤＵセッションであっても、互いに異なるＰＤＵセッションと見なすことができる。よってＩＰアドレスがさらに割り当てられることは、同じＰＤＵセッション内で起こるものと見なすことができる。
【０１８０】
図２０は本発明の一例による端末装置及びネットワークノード装置の好適な実施例の構成を示す図である。
【０１８１】
図２０を参照すると、本発明による端末装置１００は、送受信装置１１０、プロセッサ１２０及びメモリ１３０を含む。送受信装置１１０は、外部装置に各種の信号、データ及び情報を送信し、外部装置から各種の信号、データ及び情報を受信するように構成される。端末装置１００は外部装置と有線及び／又は無線で連結される。プロセッサ１２０は端末装置１００の全ての動作を制御し、端末装置１００が外部装置と送受信すべき情報などを演算処理する機能を行うように構成されることができる。メモリ１３０は演算処理された情報などを所定時間の間に記憶し、バッファー(図示せず)などの構成要素に取り替えられることができる。また、プロセッサ１２０は本発明で提案する端末動作を行うように構成されることができる。具体的には、プロセッサ１２０は、第１ＰＳＡ(ｐｒｏｔｏｃｏｌ ｄａｔａ ｕｎｉｔ ｓｅｓｓｉｏｎ ａｎｃｈｏｒ)とＰＤＵ(ｐｒｏｔｏｃｏｌ ｄａｔａ ｕｎｉｔ)セッションを確立し、ＳＭＦ(Ｓｅｓｓｉｏｎ Ｍａｎａｇｅｍｅｎｔ Ｆｕｎｃｔｉｏｎ)から新しいＩＰアドレスを受信し、該受信された新しいＩＰアドレスがｍｕｌｔｉ−ｈｏｍｉｎｇ基盤のＰＳＡ追加に関連する場合、ＵＥは新しいＩＰアドレスを使用したＩＭＳ登録を省略することができる。
【０１８２】
図２０を参照すると、本発明によるネットワークノード装置２００は、送受信装置２１０、プロセッサ２２０及びメモリ２３０を含む。送受信装置２１０は、外部装置に各種の信号、データ及び情報を送信し、外部装置から各種の信号、データ及び情報を受信するように構成される。ネットワークノード装置２００は外部装置と有線及び／又は無線で連結される。プロセッサ２２０はネットワークノード装置２００の全ての動作を制御し、ネットワークノード装置２００が外部装置と送受信すべき情報などを演算処理する機能を行うように構成されることができる。メモリ２３０は演算処理された情報などを所定時間の間に記憶し、バッファー(図示せず)などの構成要素に取り替えられることができる。また、プロセッサ２２０は本発明で提案するネットワークノード動作を行うように構成されることができる。
【０１８３】
また、このような端末装置１００及びネットワーク装置２００の具体的な構成は、前述した本発明の多様な実施例で説明した事項が独立的に適用されるかあるいは二つ以上の実施例が同時に適用されるように具現でき、重複する内容は明確性のために説明を省略する。
【０１８４】
上述した本発明の実施例は多様な手段によって具現されることができる。例えば、本発明の実施例は、ハードウェア、ファームウエア(ｆｉｒｍｗａｒｅ)、ソフトウェア又はそれらの組合せなどによって具現できる。
【０１８５】
ハードウェアによる具現の場合、本発明の実施例による方法は、一つ又はそれ以上のＡＳＩＣｓ(Ａｐｐｌｉｃａｔｉｏｎ Ｓｐｅｃｉｆｉｃ Ｉｎｔｅｇｒａｔｅｄ Ｃｉｒｃｕｉｔｓ)、ＤＳＰｓ(Ｄｉｇｉｔａｌ Ｓｉｇｎａｌ Ｐｒｏｃｅｓｓｏｒｓ)、ＤＳＰＤｓ(Ｄｉｇｉｔａｌ Ｓｉｇｎａｌ Ｐｒｏｃｅｓｓｉｎｇ Ｄｅｖｉｃｅｓ)、ＰＬＤｓ(Ｐｒｏｇｒａｍｍａｂｌｅ Ｌｏｇｉｃ Ｄｅｖｉｃｅｓ)、ＦＰＧＡｓ(Ｆｉｅｌｄ Ｐｒｏｇｒａｍｍａｂｌｅ Ｇａｔｅ Ａｒｒａｙｓ)、プロセッサ、コントローラー、マイクロコントローラー、マイクロプロセッサなどによって具現できる。
【０１８６】
ファームウエア又はソフトウェアによる具現の場合、本発明の実施例による方法は以上で説明した機能又は動作を行う装置、過程又は関数などの形態に具現できる。ソフトウェアコードはメモリユニットに記憶され、プロセッサによって駆動されることができる。メモリユニットはプロセッサの内部又は外部に位置し、既に知られた多様な手段によってプロセッサとデータを取り交わすことができる。
【０１８７】
以上のように開示された本発明の好適な実施形態についての詳細な説明は当業者が本発明を具現して実施することができるように提供した。以上では本発明の好適な実施形態に基づいて説明したが、当該技術分野の熟練した当業者は下記の特許請求範囲に記載された本発明の思想及び領域から逸脱しない範疇内で本発明を多様に修正及び変更することができることを理解することが可能であろう。よって、本発明はここで開示した実施形態に制限されるものではなく、ここで開示した原理及び新規の特徴と一致する最広の範囲を付与しようとするものである。
【産業上の利用可能性】
【０１８８】
上述したような本発明の多様な実施形態は３ＧＰＰシステムを中心に説明したが、多様な移動通信システムに同様な方式で適用可能である。
【図１】
0006825143.tif 000018
【図２】
0006825143.tif 000019
【図３】
0006825143.tif 000020
【図４】
0006825143.tif 000021
【図５】
0006825143.tif 000022
【図６】
0006825143.tif 000023
【図７】
0006825143.tif 000024
【図８】
0006825143.tif 000025
【図９】
0006825143.tif 000026
【図１０】
0006825143.tif 000027
【図１１】
0006825143.tif 000028
【図１２】
0006825143.tif 000029
【図１３】
0006825143.tif 000030
【図１４】
0006825143.tif 000031
【図１５】
0006825143.tif 000032
【図１６】
0006825143.tif 000033
【図１７】
0006825143.tif 000034
【図１８】
0006825143.tif 000035
【図１９】
0006825143.tif 000036
【図２０】
0006825143.tif 000037